(57)【特許請求の範囲】
【請求項１】
セルラー通信システムにおいてサービング基地局からデータを受信する装置であって、
前記サービング基地局によって送信されたダウンリンク制御情報を識別および復号するブラインド復号ユニットと、
前記ダウンリンク制御情報の第１のフィールドからスケジューリング制御情報を抽出し、前記ダウンリンク制御情報の第２のフィールドから干渉情報を抽出する、抽出ユニットと、
前記サービング基地局以外の送信機に起因する干渉を低減するため、前記干渉情報を考慮しながら、前記スケジューリング制御情報によって指定されるリソース上でデータを受信または送信する送受信機と、
を備え、
前記ダウンリンク制御情報の前記第１のフィールドから抽出される前記スケジューリング制御情報が、データの第１のトランスポートブロックの送信パラメータを示す第１のスケジューリング情報であり、
前記ダウンリンク制御情報の前記第２のフィールドから、前記干渉情報、またはデータの第２のトランスポートブロックの送信パラメータを示す第２のスケジューリング情報、のいずれかを抽出するように、前記抽出ユニットを制御する、制御ユニット、
をさらに備え、
前記制御ユニットが、物理層において切替え指示情報を受信するように構成されており、
前記切替え指示情報が、前記第２のフィールドのフォーマット、すなわち前記第２のフィールドが前記干渉情報を伝えるか否か、を示し、
前記制御ユニットが、前記第２のフィールドの中で前記切替え指示情報を受信するように構成されており、前記第２のフィールドのビットのサブセットによって定義されるすべての可能な値のうちの少なくとも１つのコードポイントが、前記第２のフィールドにおいて前記干渉情報が送信されることを示し、前記少なくとも１つのコードポイント以外のすべてのコードポイントが、前記第２のフィールドにおいて前記干渉情報が送信されないことを示す、
装置。
【請求項２】
前記ビットのサブセットが、前記少なくとも１つのコードポイントの値、または、前記第２のトランスポートブロックのための冗長バージョンを示す別の値、のいずれかをとる、請求項１に記載の装置。
【請求項３】
前記ダウンリンク制御情報が、リソースブロック割当てフィールドを含み、次のフォーマット、すなわち、
ｉ）  前記リソースブロック割当てフィールドが、前記スケジューリング制御情報が送信される対象の送信のためのリソース割当てを示す、フォーマット、
ｉｉ）  前記リソースブロック割当てフィールドが、前記スケジューリング制御情報が送信される対象の送信のためのリソース割当てを示す第１のサブフィールド（１５８０）と、前記第１のサブフィールド（１５８０）に指定されているそれぞれのリソースに対して干渉除去のために前記第２のフィールドの中の前記干渉情報が適用されるか否かを示す第２のサブフィールド（１５９０）と、を含む、フォーマット、
のいずれかをとることができる、
請求項１または請求項２に記載の装置。
【請求項４】
フォーマットｉｉ）の場合、前記リソースブロック割当てフィールドの前記第２のサブフィールド（１６９０）が、前記第１のサブフィールドに従って割り当てられる前記それぞれのリソースについて、前記割り当てられるそれぞれのリソースに第１の干渉情報が適用されるのか第２の干渉情報が適用されるのかを示し、
前記第２のフィールドが、干渉パラメータの第１のセットを示す第１のサブフィールドと、干渉パラメータの第２のセットを示す第２のサブフィールド、を含む、
請求項３に記載の装置。
【請求項５】
前記送受信機が、送信モードを伝える制御情報を、物理層より上位の層のプロトコルにおいて受信するように構成されており、前記送信モードが、前記装置が前記ダウンリンク制御情報から前記干渉情報を抽出するべきことを定義する値と、前記装置が前記ダウンリンク制御情報から前記干渉情報を抽出するべきことを定義しない値とをとることができる、
請求項１から請求項４のいずれかに記載の装置。
【請求項６】
セルラー通信システムにおいて受信装置にデータを送信する装置であって、前記装置が前記受信装置のサービング基地局であり、
前記サービング基地局以外の送信機に起因する前記受信装置が受ける干渉、を判定する干渉情報判定ユニットと、
スケジューリング制御情報を含む第１のフィールドと干渉情報を含む第２のフィールドとを含むダウンリンク制御情報、を生成する制御情報生成ユニットと、
前記生成されたダウンリンク制御情報を、ブラインド復号できるように前記受信装置に送信し、前記スケジューリング制御情報によって指定されるリソース上で、前記受信装置にデータを送信する、または前記受信装置からデータを受信する、送受信機と、
を備え、
前記ダウンリンク制御情報の前記第１のフィールドに含まれる前記スケジューリング制御情報が、データの第１のトランスポートブロックの送信パラメータを示す第１のスケジューリング情報であり、
前記ダウンリンク制御情報の前記第２のフィールドには、前記干渉情報、またはデータの第２のトランスポートブロックの送信パラメータを示す第２のスケジューリング情報、のいずれかが含まれ、
前記干渉情報が前記ダウンリンク制御情報の中に含まれるか否かを示す切替え指示情報を生成し、前記切替え指示情報を、前記第２のフィールドの中に埋め込む、切替え指示情報生成ユニット、
をさらに備え、
前記第２のフィールドのビットのサブセットによって定義されるすべての可能な値のうちの少なくとも１つのコードポイントが、前記第２のフィールドにおいて前記干渉情報が送信されることを示し、前記少なくとも１つのコードポイント以外のすべてのコードポイントが、前記第２のフィールドにおいて前記干渉情報が送信されないことを示す、
装置。
【請求項７】
前記干渉情報を前記ダウンリンク制御情報の中で提供するか否かを、前記受信装置によって前記装置に報告される基準信号の測定値に基づいて、もしくは、干渉基地局の負荷情報に基づいて、またはその両方に基づいて、決定する干渉決定ユニット、
をさらに備えている、請求項６に記載の装置。
【請求項８】
セルラー通信システムにおいてサービング基地局からデータを受信する方法であって、
前記サービング基地局によって送信されたダウンリンク制御情報を識別および復号するためにブラインド復号するステップと、
前記ダウンリンク制御情報の第１のフィールドからスケジューリング制御情報を抽出し、前記ダウンリンク制御情報の第２のフィールドから干渉情報を抽出するステップと、
前記サービング基地局以外の送信機に起因する干渉を低減するため、前記干渉情報を考慮しながら、前記スケジューリング制御情報によって指定されるリソース上でデータを受信または送信するステップと、
を含み、
前記ダウンリンク制御情報の前記第１のフィールドから抽出される前記スケジューリング制御情報が、データの第１のトランスポートブロックの送信パラメータを示す第１のスケジューリング情報であり、
前記ダウンリンク制御情報の前記第２のフィールドから、前記干渉情報、またはデータの第２のトランスポートブロックの送信パラメータを示す第２のスケジューリング情報、のいずれかを抽出するように制御するステップを、
さらに含み、
物理層において切替え指示情報を受信するように制御し、
前記切替え指示情報が、前記第２のフィールドのフォーマット、すなわち前記第２のフィールドが前記干渉情報を伝えるか否か、を示し、
前記第２のフィールドの中で前記切替え指示情報を受信するように制御し、前記第２のフィールドのビットのサブセットによって定義されるすべての可能な値のうちの少なくとも１つのコードポイントが、前記第２のフィールドにおいて前記干渉情報が送信されることを示し、前記少なくとも１つのコードポイント以外のすべてのコードポイントが、前記第２のフィールドにおいて前記干渉情報が送信されないことを示す、
方法。
【請求項９】
セルラー通信システムにおいて受信装置にデータを送信する装置において実行される方法であって、前記装置が前記受信装置のサービング基地局であり、前記方法が、
前記サービング基地局以外の送信機に起因する前記受信装置が受ける干渉、を判定するステップと、
スケジューリング制御情報を含む第１のフィールドと干渉情報を含む第２のフィールドとを含むダウンリンク制御情報を生成するステップと、
前記生成されたダウンリンク制御情報を、ブラインド復号できるように前記受信装置に送信し、前記スケジューリング制御情報によって指定されるリソース上で、前記受信装置からデータを受信する、または前記受信装置にデータを送信する、ステップと、
を含み、
前記ダウンリンク制御情報の前記第１のフィールドに含まれる前記スケジューリング制御情報が、データの第１のトランスポートブロックの送信パラメータを示す第１のスケジューリング情報であり、
前記ダウンリンク制御情報の前記第２のフィールドには、前記干渉情報、またはデータの第２のトランスポートブロックの送信パラメータを示す第２のスケジューリング情報、のいずれかが含まれ、
前記干渉情報が前記ダウンリンク制御情報の中に含まれるか否かを示す切替え指示情報を生成し、前記切替え指示情報を、前記第２のフィールドの中に埋め込むステップ、
をさらに含み、
前記第２のフィールドのビットのサブセットによって定義されるすべての可能な値のうちの少なくとも１つのコードポイントが、前記第２のフィールドにおいて前記干渉情報が送信されることを示し、前記少なくとも１つのコードポイント以外のすべてのコードポイントが、前記第２のフィールドにおいて前記干渉情報が送信されないことを示す、
方法。
【発明の詳細な説明】
【技術分野】
【０００１】
本発明は、セルラー通信システムにおいてサービングノードから受信装置に干渉パラメータを送信することに関する。
【背景技術】
【０００２】
例えば３ＧＰＰ（第３世代パートナーシッププロジェクト）において標準化されたＵＭＴＳ（Universal Mobile Telecommunication System：ユニバーサル移動体通信システム）などの第３世代（３Ｇ）の移動セルラーシステムは、ＷＣＤＭＡ（Wideband Code Division Multiple Access：広帯域符号分割多元接続）（登録商標）無線アクセス技術に基づいている。今日、３Ｇシステムは世界中に広範な規模で配備されつつある。ＨＳＤＰＡ（High-Speed Downlink Packet Access：高速ダウンリンクパケットアクセス）および強化されたアップリンク（ＨＳＵＰＡ（High-Speed Uplink Packet Access）とも呼ばれる）を導入することによってこの技術が拡張された後、ＵＭＴＳ標準の発展における次の主要な段階では、ダウンリンクでのＯＦＤＭ（Orthogonal Frequency Division Multiplexing：直交周波数分割多重）と、アップリンクでのＳＣ−ＦＤＭＡ（Single Carrier Frequency Division Multiplexing Access：シングルキャリア周波数分割多元接続）との組合せが取り入れられた。このシステムは、将来の技術発展に対応していくことを意図しているため、ＬＴＥ（Long Term Evolution）と名付けられている。
【０００３】
ＬＴＥシステムは、少ない待ち時間かつ低コストのＩＰベースの完全な機能性を提供するパケットベースの効率的な無線アクセスおよび無線アクセスネットワークに相当する。物理データチャネル送信の場合、ダウンリンクではデータ変調方式ＱＰＳＫ、１６ＱＡＭ、および６４ＱＡＭがサポートされ、アップリンクではＱＰＳＫ、１６ＱＡＭ、および少なくともいくつかのデバイスに対しては６４ＱＡＭもサポートされる。「ダウンリンク」という用語は、ネットワークから端末への方向を示す。「アップリンク」という用語は、端末からネットワークへの方向を示す。
【０００４】
ＬＴＥのネットワークアクセスは、５ＭＨｚにチャネルが固定されたＵＴＲＡ（UMTS Terrestrial Radio Access：ＵＭＴＳ地上無線アクセス）とは対照的に、１．４〜２０ＭＨｚの間で定義されるいくつかのチャネル帯域幅を使用し、柔軟性が極めて高い。スペクトル効率はＵＴＲＡと比べて最大４倍に向上し、アーキテクチャおよびシグナリングの改善により往復待ち時間が短縮される。ＭＩＭＯ（多入力多出力）のアンテナ技術により、３ＧＰＰの当初のＷＣＤＭＡ（登録商標）無線アクセス技術と比較してセルあたり１０倍のユーザに対応できるようになる。可能な限り多くの周波数帯割当の配置に適合するように、ペアになった帯域動作（ＦＤＤ：Frequency Division Duplex：周波数分割複信）およびペアをなさない帯域動作（ＴＤＤ：Time Division Duplex：時分割複信）の両方がサポートされる。ＬＴＥは、隣接するチャネル内でも以前の３ＧＰＰ無線技術と共存することができ、すべての３ＧＰＰの以前の無線アクセス技術との間で呼を受け渡しすることができる。
【０００５】
図１は、ネットワークエンティティおよびネットワークエンティティ間のインタフェースを含むＬＴＥネットワークアーキテクチャを例示している。図１から理解できるように、ＬＴＥアーキテクチャでは、ＵＴＲＡＮやＧＥＲＡＮ（ＧＳＭ（登録商標）  ＥＤＧＥ無線アクセスネットワーク）などのさまざまな無線アクセスネットワーク（ＲＡＮ）の相互接続がサポートされ、これらはサービングＧＰＲＳサポートノード（ＳＧＳＮ）を介してＥＰＣに接続される。３ＧＰＰ移動通信ネットワークでは、移動端末１１０（ユーザ機器、ＵＥ、またはデバイスとも呼ばれる）は、ＵＴＲＡＮ内のＮｏｄｅ  Ｂ（ＮＢ）およびＥ−ＵＴＲＡＮアクセス内の進化型Ｎｏｄｅ  Ｂ（ｅＮＢ）を介してアクセスネットワークにアタッチされる。エンティティＮＢおよびｅＮＢ  １２０は、他の移動通信ネットワークでは基地局として知られている。ＵＥのモビリティをサポートするために、２基のデータパケットゲートウェイ（サービングゲートウェイ（ＳＧＷ）１３０およびパケットデータネットワークゲートウェイ１６０（ＰＤＮ−ＧＷまたは簡潔にＰＧＷ））がＥＰＳに置かれている。Ｅ−ＵＴＲＡＮアクセスを想定すると、エンティティｅＮＢ  １２０は、Ｓ１−Ｕインタフェース（「Ｕ」は「ユーザプレーン」を表す）を介して１つまたは複数のＳＧＷに有線回線を通じて接続され、また、Ｓ１−ＭＭＭＥインタフェースを介してモビリティ管理エンティティ１４０（ＭＭＥ）に有線回線を通じて接続される。ＳＧＳＮ  １５０およびＭＭＥ  １４０は、サービングコアネットワーク（ＣＮ）ノードとも呼ばれる。
【０００６】
上に示したように、Ｅ−ＵＴＲＡＮは、ｅＮｏｄｅＢから構成され、ユーザ機器（ＵＥ）に向けてＥ−ＵＴＲＡユーザプレーン（ＰＤＣＰ／ＲＬＣ／ＭＡＣ／ＰＨＹ）および制御プレーン（ＲＲＣ）のプロトコル終端を提供する。ｅＮｏｄｅＢ（ｅＮＢ）は、物理層（ＰＨＹ）、媒体アクセス制御層（ＭＡＣ）、無線リンク制御層（ＲＬＣ）、および、パケットデータ制御プロトコル層（ＰＤＣＰ）をホストし、これらはユーザプレーンヘッダ圧縮および暗号化機能を含む。さらに、ｅＮｏｄｅＢ（ｅＮＢ）は、制御プレーンに対応する無線リソース制御（ＲＲＣ）機能を提供する。ｅＮｏｄｅＢ（ｅＮＢ）は、無線リソース管理、アドミッション制御、スケジューリング、ネゴシエーションされるアップリンクサービス品質（ＱｏＳ）の実施、セル情報ブロードキャスト、ユーザプレーンおよび制御プレーンデータの暗号化／解読、ダウンリンク／アップリンクユーザプレーンパケットヘッダの圧縮／解凍などの多くの機能を実行する。ｅＮＢは、Ｘ２インタフェースによって互いに相互接続される。
【０００７】
図２は、ＬＴＥリリース８およびそれ以降のリリースのコンポーネントキャリアの構造を示している。３ＧＰＰ  ＬＴＥリリース８のダウンリンクのコンポーネントキャリアは、時間−周波数領域においていわゆるサブフレームに分割され、各サブフレームは２つのダウンリンクスロットに分割され、そのうちの１つのダウンリンクスロットが、図２において１期間Ｔｓｌｏｔに相当するものとして示されている。最初のダウンリンクスロットは、先頭の（１つまたは複数の）ＯＦＤＭシンボルの中に制御チャネル領域を備える。各サブフレームは、時間領域における特定の数のＯＦＤＭシンボルからなり、各ＯＦＤＭシンボルはコンポーネントキャリアの帯域幅全体にわたる。
【０００８】
具体的には、スケジューラによって割り当てることができる最小単位のリソースはリソースブロックであり、これは物理リソースブロック（ＰＲＢ：Physical Resource Block）とも呼ばれる。物理リソースブロック（ＰＲＢ）は、時間領域のＮＤＬｓｙｍｂ個の連続したＯＦＤＭシンボルおよび周波数領域のＮＲＢＳＣ個の連続したサブキャリアとして定義される。実際には、ダウンリンクリソースはリソースブロックペアとして割り当てられる。リソースブロックペアは、２つのリソースブロックからなる。１リソースブロックペアは、周波数領域のＮＲＢＳＣ個の連続したサブキャリアと、時間領域のサブフレームの２・ＮＤＬｓｙｍｂ個の全変調シンボルを範囲とする。ＮＤＬｓｙｍｂは６または７であり、結果としてＯＦＤＭシンボルの総数は１２個または１４個である。したがって、物理リソースブロックは、時間領域の１スロットおよび周波数領域の１８０ｋＨｚに相当するＮＤＬｓｙｍｂ×ＮＲＢＳＣ個のリソースエレメントからなる（ダウンリンクのリソースグリッドに関するさらなる詳細は、例えば非特許文献１（３ＧＰＰのウェブサイトで自由に入手可能であり、参照によって本明細書に組み込まれている）の６．２節に記載されている。リソースブロックまたはリソースブロックペアがスケジューリングされているにもかかわらずその中のいくつかのリソースエレメントが使用されないことも起こりうるが、使用される術語表現を簡潔にするために、リソースブロックまたはリソースブロックペア全体が割り当てられるとする。スケジューラによって実際に割り当てられないリソースエレメントの例として、基準信号、ブロードキャスト信号、同期信号、さまざまな制御信号やチャネル送信に使用されるリソースエレメントが挙げられる。
【０００９】
ダウンリンクの物理リソースブロックの数ＮＤＬＲＢは、セル内で設定されたダウンリンク送信の帯域幅に応じて決まり、現在ＬＴＥでは６〜１１０個の（物理）リソースブロックであるものと定義されている。ＬＴＥでは、帯域幅をＨｚ単位（例えば１０ＭＨｚ）またはリソースブロック単位で表すのが慣習的であり、例えばダウンリンクの場合、セル帯域幅を例えば１０ＭＨｚまたはＮＤＬＲＢ＝５０ＲＢと表すことができ、両者は等価である。
【００１０】
一般的に、リソースブロックは、データを送信するためにスケジューラによって割り当てることができる、移動体通信の無線インタフェースにおける最小のリソース単位を表すものと想定することができる。リソースブロックの次元は、移動通信システムで用いられるアクセス方式に応じて、時間（例えば、時間分割多重方式（ＴＤＭ）の場合のタイムスロット、サブフレーム、フレームなど）、周波数（例えば、周波数分割多重方式（ＦＤＭ）の場合のサブバンド、キャリア周波数など）、符号（例えば、符号分割多重方式（ＣＤＭ）の場合の拡散符号）、アンテナ（例えば、多入力多出力（ＭＩＭＯ））などの任意の組合せとすることができる。
【００１１】
３ＧＰＰ  ＬＴＥリリース８では、ダウンリンク制御シグナリングは、基本的に次の３つの物理チャネルによって伝えられる。
−  １つのサブフレーム中の制御シグナリングに用いられるＯＦＤＭシンボルの数（すなわち制御チャネル領域の大きさ）を示す物理制御フォーマットインジケータチャネル（ＰＣＦＩＣＨ）
−  アップリンクデータ送信に関連するダウンリンクＡＣＫ／ＮＡＣＫを伝える物理ハイブリッドＡＲＱインジケータチャネル（ＰＨＩＣＨ）
−  ダウンリンクスケジューリング割当ておよびアップリンクスケジューリング割当てを伝える物理ダウンリンク制御チャネル（ＰＤＣＣＨ）
【００１２】
ＰＣＦＩＣＨは、事前に定義される既知の変調・符号化方式を用いて、ダウンリンクサブフレームの制御シグナリング領域内の既知の場所から送信される。ユーザ機器は、サブフレームの中の制御シグナリング領域の大きさについての情報（例えばＯＦＤＭシンボルの数）を得るため、ＰＣＦＩＣＨを復号する。ユーザ機器（ＵＥ）がＰＣＦＩＣＨを復号できない、または誤ったＰＣＦＩＣＨ値を得た場合、制御シグナリング領域に含まれるＬ１／Ｌ２制御シグナリング（ＰＤＣＣＨ）を正しく復号することができず、結果として、サブフレームに含まれるすべてのリソース割当てが失われうる。
【００１３】
ＰＤＣＣＨは、ダウンリンク制御情報（例えば、ダウンリンクデータまたはアップリンクデータを送信するためのリソースを割り当てるスケジューリンググラントなど）を伝える。ユーザ機器へのＰＤＣＣＨは、サブフレーム内のＰＣＦＩＣＨに従って、最初の１個、２個、または３個のＯＦＤＭシンボルで送信される。
【００１４】
物理ダウンリンク共有チャネル（ＰＤＳＣＨ）は、ユーザデータを伝えるために使用される。ＰＤＳＣＨは、１つのサブフレーム内のＰＤＣＣＨに続く残りのＯＦＤＭシンボルにマッピングされる。１基のＵＥに割り当てられるＰＤＳＣＨリソースは、各サブフレームのリソースブロックを単位とする。
【００１５】
物理アップリンク共有チャネル（ＰＵＳＣＨ）は、ユーザデータを伝える。物理アップリンク制御チャネル（ＰＵＣＣＨ）は、スケジューリング要求、ＰＤＳＣＨ上のデータパケットに応えてのＨＡＲＱ肯定応答（ＡＣＫ）および否定応答（ＮＡＣＫ）、チャネル状態情報（ＣＳＩ）など、アップリンク方向のシグナリングを伝える。
【００１６】
通信ネットワークを通じて送信されるユーザデータ（ＩＰパケット）は、ユーザアプリケーションによって生成される。ユーザデータは、音声、ビデオ、テキスト、または任意の他のメディアを含むことができ、これらはＩＰパケットを形成する前に場合によっては別のプロトコルに圧縮およびカプセル化される。ＥＵＴＲＡＮでは、ＩＰパケットは、ＰＤＣＰ層においてさらに処理されてＰＤＣＰヘッダが追加される。このように形成されたＰＤＣＰパケットは、さらにセグメント化および／または再構築されて（図では再構築が示されている）ＲＬＣパケットが形成され、ＲＬＣヘッダが追加される。次いで、１つまたは複数のＲＬＣパケットがＭＡＣパケットにカプセル化され、ＭＡＣパケットもＭＡＣヘッダおよびパディング（必要な場合）を含む。ＭＡＣパケットは「トランスポートブロック」とも呼ばれる。したがってトランスポートブロックは、物理層の観点から見ると、物理層に入るユーザデータのパケットである。ＬＴＥで使用できるトランスポートブロックサイズ（ＴＢＳ）は、予め定義される。次いでトランスポートブロックは、１送信時間間隔（ＴＴＩ）内で物理層（ＰＨＹ）上のサブフレームにマッピングされる。トランスポートブロックから始まってインタリービングまでのデータマッピングの詳細に関しては、ユーザデータのアップリンク送信およびダウンリンク送信それぞれについて、非特許文献２（３ＧＰＰのウェブサイトで自由に入手可能であり、参照によって本明細書に組み込まれている）の図５．２．２−１および図５．３．２−１と、それらの関連する説明に記載されている。さらに、物理チャネルマッピングに関しては、ダウンリンクおよびアップリンクそれぞれについて、非特許文献１の図６．３−１および図５．３−１と、それらの関連する説明に詳細に記載されている。
【００１７】
リンクアダプテーションの原理は、パケット交換データトラフィックのための効率的な無線インタフェースを設計するうえで重要である。初期のＵＭＴＳ（ユニバーサル移動体通信システム）では、高速閉ループ電力制御を使用することで、データレートがほぼ一定である回線交換サービスをサポートしていたが、ＬＴＥのリンクアダプテーションでは、各ユーザの通常の無線チャネル容量を一致させるため、送信データレート（変調方式およびチャネル符号化率）を動的に調整する。
【００１８】
ＬＴＥのダウンリンクデータ送信においては、ｅＮｏｄｅＢは、一般には、ダウンリンクチャネル状態の予測に応じて変調方式および符号化率（ＭＣＳ）を選択する。この選択プロセスへの重要な入力は、ユーザ機器（ＵＥ）によってアップリンクでｅＮｏｄｅＢに送信されるチャネル状態情報（ＣＳＩ）フィードバック（上記に記載）である。
【００１９】
チャネル状態情報（ＣＳＩ）は、マルチユーザ通信システム（例えば３ＧＰＰ  ＬＴＥなど）において、１人または複数のユーザにおけるチャネルリソースの品質を判断する目的で使用される。一般的には、ｅＮｏｄｅＢは、ＣＳＩフィードバックに応えて、ＱＰＳＫ方式、１６ＱＡＭ方式、および６４ＱＡＭ方式と、広範な符号化率の中で選択することができる。このＣＳＩ情報は、マルチユーザスケジューリングアルゴリズムにおいて、チャネルリソースを複数の異なるユーザに割り当てることを支援する目的で、あるいは、割り当てられたチャネルリソースを最大限に利用できるように、変調方式、符号化率、または送信電力などのリンクパラメータを適合させる目的で、使用することができる。
【００２０】
アップリンクリソースグラントおよびダウンリンクリソースグラント（それぞれアップリンクおよびダウンリンクでユーザ機器がデータを送信できるようにするグラント）は、ｅＮｏｄｅＢからＰＤＣＣＨを介してダウンリンク制御情報（ＤＣＩ）の中でユーザ機器に送信される。ダウンリンク制御情報（ＤＣＩ）は、必要とされるシグナリング情報に応じて、さまざまなフォーマットで送信することができる。一般的には、ＤＣＩは以下を含むことができる。
−  リソースブロック割当て（ＲＢＡ）
−  変調・符号化方式（ＭＣＳ）
【００２１】
ＤＣＩは、必要とされるシグナリング情報に応じて、さらなる情報を含むことができ、これについては非特許文献３（参照によって本明細書に組み込まれている）の９．３．２．３節にも記載されている。例えば、ＤＣＩは、ＨＡＲＱ関連情報（冗長バージョン（ＲＶ）、ＨＡＲＱプロセス番号、新規データインジケータなど）、ＭＩＭＯ関連情報（プリコーディングなど）、電力制御関連情報などを、さらに含むことができる。
【００２２】
上述したように、スケジューリング対象のユーザに、その割当て状態、トランスポートフォーマット、およびその他のデータ関連情報（例：ＨＡＲＱ情報、送信電力制御（ＴＰＣ）コマンド）を知らせる目的で、第１層／第２層制御シグナリングがデータと一緒にダウンリンクで送信される。第１層／第２層制御シグナリングは、サブフレーム内でダウンリンクデータと一緒に多重化される（ユーザ割当てが基本的にサブフレーム単位で変化しうるものと想定する）。なお、ユーザ割当てをＴＴＩ（送信時間間隔）ベースで実行することもでき、その場合、ＴＴＩ長は、一般的にサブフレームの倍数とする、またはサブフレームに一致させることができる。ＴＴＩ長は、サービスエリアにおいてすべてのユーザに対して一定とする、またはユーザ毎に異なる、あるいはユーザ毎に動的とすることもできる。第１層／第２層制御シグナリングは、一般的にはＴＴＩあたり１回送信するのみでよい。一般性を失うことなく、以下では、ＴＴＩが１サブフレームに等しいものと想定する。
【００２３】
第１層／第２層制御シグナリングは、物理ダウンリンク制御チャネル（ＰＤＣＣＨ）で送信される。ＰＤＣＣＨは、ダウンリンク制御情報（ＤＣＩ）としてメッセージを伝え、ダウンリンク制御情報（ＤＣＩ）には、ほとんどの場合、移動端末またはユーザ機器のグループのリソース割当て情報およびその他の制御情報が含まれる。一般的には、いくつかのＰＤＣＣＨを１つのサブフレーム内で送信することができる。なお、３ＧＰＰ  ＬＴＥでは、アップリンクデータ送信のための割当て（アップリンクスケジューリンググラントまたはアップリンクリソース割当てとも称する）も、ＰＤＣＣＨで送信されることに留意されたい。一般的には、アップリンクまたはダウンリンクの無線リソースを割り当てるために第１層／第２層制御シグナリングで送られる情報は（特にＬＴＥ（−Ａ）リリース１０）、以下の項目に分類することができる。
−  ユーザ識別情報：  割り当てる対象のユーザを示す。この情報は、一般には、ＣＲＣをユーザ識別情報によってマスクすることによってチェックサムに含まれる。ユーザ（ユーザ機器）は、サーチスペース内で（すなわち、各端末が自身宛のデータがあるか制御情報を監視する必要のあるサーチスペースとして設定されているリソースにおいて）送信された識別情報をデマスキングすることによって、ブラインド復号を実行する。
−  リソース割当て情報：  ユーザに割り当てられるリソース（リソースブロック：ＲＢ）を示す。したがって、ユーザに割り当てられるリソースブロックの数は動的とすることができる。特に、リソースブロック（周波数領域）の数が、このリソース割当て情報によって伝えられる。時間領域（サブフレーム）における位置は、ＰＤＣＣＨが受信されるサブフレームと、所定の規則（リソースはＰＤＣＣＨサブフレームより特定の数のサブフレームだけ後に割り当てられる）とによって与えられる。
−  キャリアインジケータ：  第１のキャリアで送信される制御チャネルが、第２のキャリアに関係するリソース（すなわち第２のキャリアのリソース、またはキャリアアグリゲーションが適用される場合には第２のキャリアに関連するリソース）を割り当てる場合に使用される。
−  変調・符号化方式：  採用される変調方式および符号化率（符号化されるトランスポートブロックの長さ）を決める。
−  ＨＡＲＱ情報：  データパケットまたはその一部の再送信時に特に有用である、新規データインジケータ（ＮＤＩ）や冗長バージョン（ＲＶ）など。具体的には、新規データインジケータは、その割当てがデータの最初の送信用であるか、データの再送信用であるかを示す。冗長バージョンは、再送信されるデータに適用される符号化を示す（ＬＴＥでは増分的冗長性合成法（incremental redundancy combining）がサポートされ、すなわち、各再送信には、異なる方式で符号化された最初の送信データを含めることができ、すなわち、各再送信には、すでに受信された送信／再送信と合わせて最終的に復号を可能にするパリティビットを含めることができる）。
−  電力制御コマンド：  割り当てられたアップリンクのデータまたは制御情報を送信するときの送信電力を調整する。
−  基準信号情報：  割当てに関連する基準信号の送信または受信に使用される、適用されるサイクリックシフトや直交カバーコードインデックスなど。
−  アップリンクまたはダウンリンク割当てインデックス：  割当ての順序を識別するために使用され、ＴＤＤシステムにおいて特に有用である。
−  ホッピング情報：  例えば、周波数ダイバーシチを増大させるためにリソースホッピングを適用するかどうかと、適用方法を指示する。
−  ＣＳＩ要求：  割り当てられるリソースにおけるチャネル状態情報の送信をトリガーするために使用される。
−  マルチクラスタ情報：  シングルクラスタ（リソースブロックの連続的なセット）またはマルチクラスタ（連続的なリソースブロックの少なくとも２つの不連続なセット）で送信を行うかを指示して制御するために使用されるフラグである。マルチクラスタ割当ては、３ＧＰＰ  ＬＴＥ−（Ａ）リリース１０によって導入された。
【００２４】
なお、上記のリストは、これらに限定されるものではなく、また、使用されるＤＣＩフォーマットによっては、リストした情報項目すべてを各ＰＤＣＣＨ送信に含める必要はないことに留意されたい。
【００２５】
ダウンリンク制御情報（ＤＣＩ）は、全体のサイズと、フィールドに含まれる情報とが異なるいくつかのフォーマットの形をとる。ＬＴＥにおいて現在定義されている異なるＤＣＩフォーマットは、以下のとおりであり、非特許文献４の５．３．３．１節に詳しく記載されている（この文書は、３ＧＰＰのウェブサイトにおいて入手可能であり、参照によって本明細書に組み込まれている）。例えばＤＣＩフォーマット０は、アップリンク送信モード１または２においてシングルアンテナポート送信を使用するＰＵＳＣＨのためのリソースグラントを送信するのに使用される。
【００２６】
ユーザ機器がＰＤＣＣＨ送信を正常に受信したかを自身で識別できるようにする目的で、各ＰＤＣＣＨ（すなわちＤＣＩ）に付加される１６ビットのＣＲＣによって誤り検出が提供される。さらには、ユーザ機器が自身を対象とするＰＤＣＣＨを識別できることが必要である。このことは、理論的には、ＰＤＣＣＨペイロードに識別子を追加することによって達成できる。しかしながら、「ユーザ機器の識別情報」によってＣＲＣをスクランブルする方がより効率的であり、追加のオーバーヘッドが節約される。ＣＲＣの計算およびスクランブリングは、非特許文献２（この文書は参照によって本明細書に組み込まれている）の５．３．３．２節「ＣＲＣ  ａｔｔａｃｈｍｅｎｔ」において３ＧＰＰによって詳細に定義されているように行うことができる。この節には、巡回冗長検査（ＣＲＣ）を通じてＤＣＩ送信に誤り検出を導入する方法が記載されている。簡潔に要約すると以下のようになる。ペイロード全体を使用して、ＣＲＣパリティビットを計算する。パリティビットを計算して付加する。ユーザ機器の送信アンテナの選択が設定されていない、または適用可能ではない場合、付加した後、ＣＲＣパリティビットを対応するＲＮＴＩによってスクランブルする。
【００２７】
さらに、スクランブリングは、非特許文献２から明らかであるように、ユーザ機器の送信アンテナの選択にも依存しうる。ユーザ機器の送信アンテナの選択が設定されており適用可能である場合、付加した後、ＣＲＣパリティビットを、アンテナ選択マスクおよび対応するＲＮＴＩによってスクランブルする。いずれの場合にも、スクランブリング処理にＲＮＴＩが関与するため、簡潔さのため、および一般性を失うことなく、実施形態の以下の説明では、ＣＲＣがＲＮＴＩによってスクランブルされる（および必要な場合にデスクランブルされる）ものと記載されているが、例えばアンテナ選択マスクなどのさらなる要素もスクランブリング処理において使用されうることを理解されたい。
【００２８】
したがって、ユーザ機器は、「ユーザ機器の識別情報」を適用することによってＣＲＣをデスクランブルし、ＣＲＣ誤りが検出されなければ、そのＰＤＣＣＨが自身を対象とする制御情報を伝えているものと判断する。ＣＲＣを識別情報によってスクランブルする上述したプロセスにおいては、「マスキング」および「デマスキング」という用語も使用される。ＤＣＩのＣＲＣをスクランブルする上述した「ユーザ機器の識別情報」は、ＳＩ−ＲＮＴＩ（システム情報無線ネットワーク一時識別子）とすることもでき、このＳＩ−ＲＮＴＩは、「ユーザ機器の識別情報」ではなく、送信される情報のタイプ（この場合にはシステム情報）に関連付けられる識別子である。ＳＩ−ＲＮＴＩは、通常では仕様において決定され、したがってすべてのユーザ機器においてあらかじめ既知である。
【００２９】
物理ダウンリンク制御チャネル（ＰＤＣＣＨ）は、例えば、ダウンリンクまたはアップリンクでデータを送信するためのリソースを割り当てるスケジューリンググラントを伝える。１つのサブフレームにおいて複数のＰＤＣＣＨを送信することができる。ユーザ機器へのＰＤＣＣＨは、サブフレームの中の最初のＮＰＤＣＣＨｓｙｍｂ個のＯＦＤＭシンボル（通常では１個、２個、または３個のＯＦＤＭシンボル（ＰＣＦＩＣＨによって示される）、例外的なケースでは２個、３個、または４個のＯＦＤＭシンボル（ＰＣＦＩＣＨによって示される））で送信され、ＯＦＤＭシンボルはシステム帯域幅全体にわたり延びている。システム帯域幅は、一般にはセルまたはコンポーネントキャリアの範囲に等しい。時間領域における最初のＮＰＤＣＣＨｓｙｍｂ個のＯＦＤＭシンボルと、周波数領域におけるＮＤＬＲＢ×ＮＲＢｓｃ本のサブキャリアとによって占有される領域は、ＰＤＣＣＨ領域または制御チャネル領域とも称される。周波数領域におけるＮＤＬＲＢ×ＮＲＢｓｃ本のサブキャリアにわたる、時間領域における残りのＮＰＤＳＣＨｓｙｍｂ＝２＊ＮＤＬｓｙｍｂ−ＮＰＤＣＣＨｓｙｍｂ個のＯＦＤＭシンボルは、ＰＤＳＣＨ領域または共有チャネル領域と称される（後述する）。
【００３０】
物理ダウンリンク共有チャネル（ＰＤＳＣＨ）に関するダウンリンクグラント（すなわちリソース割当て）については、ＰＤＣＣＨは、同じサブフレーム内の（ユーザ）データのためのＰＤＳＣＨリソースを割り当てる。サブフレーム内のＰＤＣＣＨ制御チャネル領域は、一連のＣＣＥ（制御チャネル要素）からなり、サブフレームの制御領域におけるＣＣＥの合計数は、時間−周波数制御リソース全体にわたり分散している。制御チャネルの符号化率を効果的に低減するため、複数のＣＣＥを組み合わせることができる。ＣＣＥは、さまざまな符号化率を達成するためツリー構造を使用する所定の方法において組み合わされる。制御チャネル要素（ＣＣＥ）は、物理リソースブロック全体より小さい個別に割当て可能な単位である。制御チャネル要素（ＣＣＥ）によって、少量のデータが伝送される制御チャネルのリソース割当てをより細かく行うことができる。
【００３１】
トランスポートチャネルのレベルにおいては、ＰＤＣＣＨを介して送信される情報は、第１層／第２層（Ｌ１／Ｌ２）制御シグナリングとも称される（第１層／第２層制御シグナリングの詳細については前述した説明を参照）。
【００３２】
ＬＴＥにおいてＰＤＣＣＨでシグナリングされるアップリンクリソース割当て（物理アップリンク共有チャネル（ＰＵＳＣＨ）で送信するための割当て）に対しては、第１層／第２層制御情報にはＨＡＲＱプロセス番号が含まれず、なぜならＬＴＥのアップリンクには同期ＨＡＲＱプロトコルが採用されるためである。アップリンク送信に使用されるＨＡＲＱプロセスは、タイミングによって与えられる。さらに、冗長バージョン（ＲＶ）情報はトランスポートフォーマット情報と共に符号化され、すなわちＲＶ情報はトランスポートフォーマット（ＴＦ）フィールドに埋め込まれることに留意されたい。ＴＦフィールドすなわち変調・符号化方式（ＭＣＳ）フィールドは、例えば３２個のエントリに対応するビットサイズを有する。ＴＦ／ＭＣＳテーブルの３つのエントリは、ＲＶ１、ＲＶ２、またはＲＶ３を示すために予約されている。残りのＭＣＳテーブルエントリは、ＭＣＳレベル（ＴＢＳ）（暗黙的にＲＶ０を示す）をシグナリングするために使用される。
【００３３】
ＰＤＣＣＨにおけるアップリンク割当てのためのＴＢＳ／ＲＶシグナリングに関する詳細については、非特許文献５（３ＧＰＰのウェブサイトにおいて入手可能であり、参照によって本明細書に組み込まれている）を参照されたい。ＰＤＣＣＨのＣＲＣフィールドのサイズは１６ビットである。
【００３４】
ＬＴＥのＰＤＣＣＨにおいてシグナリングされるダウンリンク割当て（ＰＤＳＣＨを対象とする）に対しては、冗長バージョン（ＲＶ）は、２ビットのフィールドにおいて個別にシグナリングされる。さらに、変調次数情報が、トランスポートフォーマット情報と共に符号化される。アップリンクの場合と同様に、ＰＤＣＣＨにおいて５ビットのＭＣＳフィールドがシグナリングされる。エントリのうちの３つは、明示的な変調次数をシグナリングするために予約されており、トランスポートフォーマット（トランスポートブロック）情報は提供しない。残りの２９のエントリにおいては、変調次数およびトランスポートブロックサイズ情報がシグナリングされる。
【００３５】
干渉除去および干渉抑制のコンセプトの基礎をなす発想として、受信機において受信信号のうちの干渉分を除去または抑制できるならば、受信機における有効信号対干渉電力比を高めることができる。これを達成するためには、干渉のタイプおよび強さを認識することが有利である。
【００３６】
図４は、受信機における干渉除去の基本的なコンセプトを示している。送信機によって信号Ｓが生成され、チャネルを通じて送信される。送信中、信号Ｓに干渉Ｉおよび雑音Ｎが重畳される。結果として、乱れた信号が受信機に入力され、このため復調器においていくつかのビット誤りが発生しうる。受信品質、特に、復調および復号時に発生するビット誤り率を改善する目的で、干渉除去（図４には点線の長方形によって表してある）を適用することができる。具体的には、受信機において利用可能な干渉の推定Ｉ’を使用して信号Ｓ’を回復し、この信号Ｓ’を復調器の入力として使用することで、ビット誤り率が下がる。この例においては、回復は、受信信号Ｓ＋Ｎ＋Ｉから、推定された干渉信号Ｉ’を減じることによって達成される。干渉除去の性能は、干渉の推定Ｉ’の正確さに強く依存する。干渉の推定が極めて不正確でありＩとＩ’の差が大きい場合、復調器への入力の乱れが増大してビット誤り率が高まることさえある。
【００３７】
干渉Ｉは、いくつかの送信（干渉）パラメータの組合せによって求められる。干渉の推定Ｉ’の正確さは、受信機側において利用可能な干渉パラメータに関する情報量とともに高まる。
【００３８】
図５は、１つの主たる干渉セルから干渉を受ける一般的なシナリオを示している。ユーザ機器５０１，５０２，５０３，５０４は、ｅＮＢ  Ａによってサーブされており、ｅＮＢ  Ｂから干渉を受ける。ユーザ機器５０１およびユーザ機器５０２は、干渉源（ｅＮＢ  Ｂ）から離れているためｅＮＢ  Ｂから弱い干渉を受けるが、ユーザ機器５０３およびユーザ機器５０４は、ｅＮＢ  Ｂから強い干渉を受ける。点線の円５００は、ｅＮＢ  Ａによってサーブされている端末においてｅＮＢ  Ｂからの干渉が強いエリアを示している。エリア５００の中に位置する端末の受信品質を改善する目的には、干渉の除去、したがって干渉の推定の正確さが極めて重要である。
【００３９】
最近、３ＧＰＰでは、３ＧＰＰ  ＬＴＥシステムにおけるダウンリンクを対象とするネットワーク支援型の干渉の除去および抑制（ＮＡＩＣＳ：network assisted interference cancellation and suppression）に関する検討項目が開始された。詳細は、非特許文献６（以下では「ＮＡＩＣＳ技術報告書」と称する）に記載されている。この報告書に基づき、次の作業項目では、非特許文献７（以下では「ＮＡＩＣＳ作業項目」と称する）から理解できるように、ネットワーク支援型の干渉除去を標準規格に含めることを策定することになっている。
【００４０】
ＬＴＥシステムにおけるパラメータのうち干渉に影響するパラメータとしては以下が挙げられる。
−  （例えば図５のｅＮＢ  Ｂによる）干渉を及ぼす送信のリソースグリッド内の基準信号（パイロット）の位置
−  実際の干渉チャネル（干渉元の送信機側におけるプリコーディングなど）
−  割り当てられるリソースの情報として、干渉源のリソース割当て（物理リソースブロック（ＰＲＢ）、制御フォーマットインジケータ（ＣＦＩ）など）
−  干渉を及ぼす送信の空間送信レイヤの数
−  干渉を及ぼす送信の変調次数
−  干渉を及ぼす送信のチャネル符号化パラメータ（符号化率、冗長バージョンなど）
【００４１】
必要な干渉情報の量は、受信機のタイプに依存する。３ＧＰＰにおいて調査された受信機のタイプは、和信号の空間フィルタリングによって干渉を抑制するタイプから、干渉源によって送信されるコードワードの完全な復号を実行するタイプにわたる。
【００４２】
受信信号の空間フィルタリングによってのみ干渉抑制を実行する受信機（例えばＮＡＩＣＳ技術報告書の７．２節におけるＥ−ＬＭＭＳＥ−ＩＲＣ）では、空間レイヤごとの実際の干渉チャネルに関する情報（干渉元の送信機側におけるプリコーディングなど）のみが必要であり、変調・符号化方式や冗長バージョンなどに関する情報は必要ない。
【００４３】
これに対して、シンボルレベル（ＳＬ−ＩＣ：  ＮＡＩＣＳ技術報告書の７．４節を参照）またはコードワードレベル（ＣＷ−ＩＣ：  ＮＡＩＣＳ技術報告書の７．４節を参照）のいずれかで干渉除去を実行する受信機では、大幅に多くの干渉情報量が要求される。特に、受信機側では、図４に示したような効果的な干渉除去を実行するためには、どの変調シンボルが送信されたかを認識していなければならない。ＮＡＩＣＳの範囲内で３ＧＰＰ  ＲＡＮ１において検討された受信機のタイプに関する詳しい説明は、ＮＡＩＣＳの中で与えられている（上に引用したＮＡＩＣＳ技術報告書を参照）。したがって、ＬＴＥシステムにおいて干渉パラメータを取得する目的には以下の複数の異なる方法を考慮することができる。
−  ブラインド検出：  受信機の中で仮説検証によって干渉パラメータを推定する。この方法は、ネットワークによる支援を必要としないが、受信機側における計算の複雑さが増大する。求めなければならないパラメータによっては、追加の複雑さがさらに増大しうる。この方法の利点として、追加のシグナリングが必要ない。
−  干渉ｅＮＢからの制御信号（ＤＣＩ、基準信号など）のオーバーヒア：  干渉セル自体からの既存の制御信号をリスンすることによって受信機において干渉パラメータを求める。この方法では、追加のネットワーク支援を必要とせず、なぜなら、干渉を及ぼす信号の送信パラメータが、干渉ｅＮＢに関連付けられるユーザ機器にすでに提供されるためである。この方法の欠点として、ユーザ機器はサービングｅＮＢおよび干渉ｅＮＢの両方からの信号を並行して受信することができなければならない。さらに、干渉セルからの信号の大きな処理量のブラインド検出が必要であり、これにより受信機の実装の複雑さが増す。
−  干渉ｅＮＢからの第１層（Ｌ１）シグナリング：  この方法では、干渉情報を提供するための新規の第１層（物理層）シグナリングを導入する。この制御情報は、干渉ｅＮＢによって送信され、隣接するｅＮＢに関連付けられる、干渉被害を受けるユーザ機器によって受信される。この方法の欠点として、ユーザ機器はサービングｅＮＢおよび干渉ｅＮＢの両方からの信号を並行して受信することができなければならない。
−  サービングｅＮＢからの上位層シグナリング：  サービングｅＮＢが、干渉被害を受けるユーザ機器に、ＭＡＣ層またはそれより上位の層におけるダウンリンク制御メッセージによって干渉情報を提供する。サービングｅＮＢは、干渉セルにおいて使用される送信パラメータを、バックホール通信によって認識する。上位層シグナリングは待ち時間（レイテンシ）を伴うため、この方法を適用できるのは、頻繁には変更されない干渉パラメータに対してのみである。
−  サービングｅＮＢからの第１層シグナリング：  サービングｅＮＢが、干渉被害を受けるユーザ機器に、物理層におけるダウンリンク制御シグナリングによって干渉情報を提供する。サービングｅＮＢは、干渉セルにおいて使用される送信パラメータを、バックホール通信によって認識する。上位層シグナリングを使用する方法とは異なり、サービングｅＮＢと干渉ｅＮＢとの間のバックホール接続が遅延および容量の要件を満たしている場合、干渉情報をより頻繁に更新することができる。この方法の重要な前提条件は、十分な容量およびレイテンシを有するバックホール接続である。したがって、この方法を使用するのが好ましいケースは、サイト内調整や遠隔無線ヘッド（ＲＲＨ）の調整である。
【００４４】
このように、干渉パラメータを取得するための上記の方法は、それぞれ利点および欠点を有する。
【先行技術文献】
【非特許文献】
【００４５】
【非特許文献１】3GPP TS 36.211, “Evolved universal terrestrial radio access (E-UTRA); physical channels and modulations (Release 10)”, version 10.4.0, 2012
【非特許文献２】3GPP TS 36.212, v.10.4.0, “Evolved universal terrestrial radio access (E-UTRA); Multiplexing and channel coding”
【非特許文献３】“LTE: The UMTS Long Term Evolution from theory to practice” by S. Sesia, I. Toufik, M. Baker, Apr. 2009, John Wiley & Sons, ISBN 978-0-470-69716-0
【非特許文献４】3GPP TS 36.212, v.12.0.0 “Multiplexing and channel coding”
【非特許文献５】3GPP TS 36.213, “Evolved Universal Terrestrial Radio Access (E-UTRA); Physical layer procedures”, version 3GPP TS 36.213, v.10.4.0, 2012
【非特許文献６】3GPP TR 36.866 v12.0.0, March 2014, “Study on Network-Assisted Interference Cancellation and Suppression (NAIC) for LTE”
【非特許文献７】RP-140519, “New work item proposal for network assistance interference cancellation and suppression for LTE”, 3GPP RAN#63, March 2014
【非特許文献８】3GPP TS 36.211 v12.0.0, December 2013
【非特許文献９】3GPP TS 36.331 v12.1.0, March 2014
【非特許文献１０】3GPP TS 36.214 v11.1.0, December 2012
【非特許文献１１】3GPP TS 36.432 v12.1.0, March 2014
【非特許文献１２】3GPP TS 36.213 v12.0.0, December 2013
【発明の概要】
【発明が解決しようとする課題】
【００４６】
本発明の目的は、干渉抑制に使用される干渉パラメータを受信機において取得するための効果的な方法を提供することである。
【００４７】
本発明は、干渉パラメータまたは一連の干渉パラメータ候補を明示的にシグナリングすることによって、干渉パラメータに関する情報を受信機に提供する解決策を提供する。干渉情報は、サービングｅＮＢから、制御される装置（端末、ＤＣＩを受信する装置など）に、第１層シグナリングによって提供される。
【課題を解決するための手段】
【００４８】
この目的は、独立請求項に記載されている特徴によって達成される。
【００４９】
本発明の好ましい実施形態は、従属請求項の主題である。
【００５０】
本発明の具体的な方法は、ダウンリンク制御情報の中で干渉パラメータを提供することである。受信装置は、干渉パラメータに基づいて干渉を推定し、干渉除去手順においてその推定を使用することができる。
【００５１】
本発明の一態様によると、セルラー通信システムにおいてサービング基地局からデータを受信する装置であって、サービング基地局によって送信されたダウンリンク制御情報を識別および復号するブラインド復号ユニットと、ダウンリンク制御情報の第１のフィールドからスケジューリング制御情報を抽出し、ダウンリンク制御情報の第２のフィールドから干渉情報を抽出する、抽出ユニットと、サービング基地局以外の送信機に起因する干渉を低減するため、干渉情報を考慮しながら、スケジューリング情報によって指定されるリソース上でデータを受信または送信する送受信機と、を備えている、装置、を提供する。
【００５２】
本発明の別の態様によると、セルラー通信システムにおいて受信装置にデータを送信する装置であって、本装置が、受信装置のサービング基地局であり、本装置が、サービング基地局以外の送信機に起因する受信装置が受ける干渉、を判定する干渉情報判定ユニットと、スケジューリング制御情報を含む第１のフィールドと干渉情報を含む第２のフィールドとを含むダウンリンク制御情報、を生成する制御情報生成ユニットと、生成されたダウンリンク制御情報を、ブラインド復号できるように受信装置に送信し、スケジューリング情報によって指定されるリソース上で、受信装置にデータを送信する、または受信装置からデータを受信する、送受信機と、を備えている、装置、を提供する。
【００５３】
本発明の別の態様によると、セルラー通信システムにおいてサービング基地局からデータを受信する方法であって、サービング基地局によって送信されたダウンリンク制御情報を識別および復号するためにブラインド復号するステップと、ダウンリンク制御情報の第１のフィールドからスケジューリング制御情報を抽出し、ダウンリンク制御情報の第２のフィールドから干渉情報を抽出するステップと、サービング基地局以外の送信機に起因する干渉を低減するため、干渉情報を考慮しながら、スケジューリング情報によって指定されるリソース上でデータを受信または送信するステップと、を含む、方法、を提供する。
【００５４】
本発明の別の態様によると、セルラー通信システムにおいて受信装置にデータを送信する方法であって、本装置が受信装置のサービング基地局であり、本方法が、以下のステップ、すなわち、サービング基地局以外の送信機に起因する受信装置が受ける干渉、を判定するステップと、スケジューリング制御情報を含む第１のフィールドと干渉情報を含む第２のフィールドとを含むダウンリンク制御情報を生成するステップと、生成されたダウンリンク制御情報を、ブラインド復号できるように受信装置に送信し、スケジューリング情報によって指定されるリソース上で、受信装置からデータを受信する、または受信装置にデータを送信する、ステップと、を含む、方法、を提供する。
【００５５】
スケジューリング情報は、データの第１のトランスポートブロックの送信パラメータを示す第１のスケジューリング情報であることが有利である。この場合、ダウンリンク制御情報の第２のフィールドにおいては、干渉情報、または、データの第２のトランスポートブロックの送信パラメータを示す第２のスケジューリング情報、のいずれかが伝えられる。
【００５６】
これに代えて、ダウンリンク制御情報の第１のフィールドのスケジューリング情報が、データの第１のトランスポートブロックの送信パラメータを示す第１のスケジューリング情報であり、ダウンリンク制御情報の第２のフィールドが、干渉情報と、データの第２のトランスポートブロックの送信パラメータを示す短縮された第２のスケジューリング情報、または、データの第２のトランスポートブロックの送信パラメータを示す完全な第２のスケジューリング情報のみ、のいずれかを伝える。
【００５７】
特に、第１のフィールドおよび第２のフィールドは同じサイズを有することができ、第１のフィールドおよび第２のフィールドそれぞれは、変調・符号化方式（ＭＣＳ）を示す変調・符号化方式サブフィールドを含むことができ、第１のフィールドの変調・符号化方式サブフィールドを、第２のフィールドの変調・符号化方式サブフィールドよりも大きくすることができる。
【００５８】
さらには、物理層より上位のプロトコル層において切替えメッセージ（switching message）を提供することができ、この切替えメッセージは、第２のフィールドのフォーマット、すなわち第２のフィールドが干渉情報を伝えるか否か、を示す。これにより、ＮＡＩＣＳの適用を半静的に設定することが可能になり、したがって干渉パラメータがＤＣＩに含まれるか否かを半静的に設定することが可能になる。
【００５９】
これに代えて、物理層において切替え指示情報を提供することができ、この切替え指示情報は、第２のフィールドのフォーマット、すなわち第２のフィールドが干渉情報を伝えるか否か、を示す。これにより、ＤＣＩによって伝える情報を動的に設定することが可能になり、すなわち特定のＤＣＩにおいて第２のフィールドをトランスポートブロックのスケジューリング情報として解釈するか干渉パラメータとして解釈するかを動的に設定することが可能になる。
【００６０】
一実施形態によると、切替え指示情報は、３ＧＰＰ  ＬＴＥリリース１１のダウンリンク制御情報メッセージの中、リソース割当てヘッダフィールドにおいて提供され、その一方で、タイプ０の割当てが適用されるものと想定する。リソース割当てヘッダの解釈は、物理層より上位の層によって半静的に設定されることが有利であり、この場合、リソース割当てヘッダを、タイプ０またはタイプ１の割当てを示すものとして、あるいは、切替え指示情報を示すものとして、解釈することができる。
【００６１】
別の実施形態によると、切替え指示情報は、第２のフィールドの中で伝えられ、この場合、第２のフィールドのビットのサブセットによって定義されるすべての可能な値のうちの少なくとも１つのコードポイントが、第２のフィールドにおいて干渉情報が送信されることを示し、これら少なくとも１つのコードポイント以外のすべてのコードポイントが、第２のフィールドにおいて干渉情報が送信されないことを示す。ビットのサブセットは、少なくとも１つのコードポイントの値、または、第２のトランスポートブロックのための冗長バージョンを示す別の値、のいずれかをとることが有利である。
【００６２】
ダウンリンク制御情報は、リソースブロック割当てフィールドを含むことができ、ダウンリンク制御情報は次のフォーマット、すなわち、ｉ）リソースブロック割当てフィールドが、スケジューリング情報が送信される対象の送信のためのリソース割当てを示す、フォーマット、または、ｉｉ）リソースブロック割当てフィールドが、スケジューリング情報が送信される対象の送信のためのリソース割当てを示す第１のサブフィールド（１５８０）と、第１のサブフィールド（１５８０）に指定されているそれぞれのリソースに対して干渉除去のために第２のフィールドの中の干渉情報が適用されるか否かを示す第２のサブフィールド（１５９０）と、を含む、フォーマット、のいずれかをとることができる。
【００６３】
好ましくは、フォーマットｉｉ）の場合、リソースブロック割当てフィールドの第２のサブフィールド（１６９０）は、第１のサブフィールドに従って割り当てられるそれぞれのリソースについて、割り当てられるそれぞれのリソースに第１の干渉情報が適用されるのか第２の干渉情報が適用されるのかを示し、第２のフィールドは、干渉パラメータの第１のセットを示す第１のサブフィールドと、干渉パラメータの第２のセットを示す第２のサブフィールドとを含む。
【００６４】
さらには、物理層より上位の層のプロトコルにおいて、送信モードを伝える制御情報を提供することができ、この場合、送信モードは、受信装置がダウンリンク制御情報から干渉情報を抽出するべきことを定義する値と、受信装置がダウンリンク制御情報から干渉情報を抽出するべきことを定義しない値とをとることができる。
【００６５】
ダウンリンク制御情報の中で干渉情報を提供するか否かの決定は、受信装置によってサービング基地局に報告される基準信号の測定値、もしくは、干渉基地局の負荷情報、またはその両方に基づいて、ＤＣＩの送信機（サービング基地局など）において実行することができる。
【００６６】
本発明の別の態様によると、具体化されたコンピュータ可読プログラムコードを有するコンピュータ可読媒体を備えたコンピュータプログラム製品であって、プログラムコードが、本発明を実行するようにされている、コンピュータプログラム製品、を提供する。
【００６７】
本発明の一態様によると、上述した装置は、集積回路上に具体化される。
【００６８】
本発明の上記の目的、別の目的、および特徴は、添付の図面を参照しながら提示されている以下の説明および好ましい実施形態から、さらに明らかになるであろう。
【図面の簡単な説明】
【００６９】
【図１】デジタル放送システムにおける４つのサービスの物理層処理の例を示しているブロック図である。
【図２】時間−周波数領域におけるＯＦＤＭ変調リソースのグリッドの例を示した概略図である。
【図３Ａ】ＬＴＥにおいて使用されるＤＣＩフォーマット２を示している概略図である。である。
【図３Ｂ】ＬＴＥにおいて使用されるＤＣＩフォーマット２Ａを示している概略図である。である。
【図３Ｃ】ＬＴＥにおいて使用されるＤＣＩフォーマット２Ｂを示している概略図である。である。
【図３Ｄ】ＬＴＥにおいて使用されるＤＣＩフォーマット２Ｃを示している概略図である。である。
【図３Ｅ】ＬＴＥにおいて使用されるＤＣＩフォーマット２Ｄを示している概略図である。
【図４】受信機における干渉除去を図解したブロック図である。
【図５】２基の基地局の近傍の端末におけるさまざまな干渉シナリオを図解した概略図である。
【図６】２つのトランスポートブロックをサポートするフォーマットのＤＣＩに干渉情報をマッピングする方法を示している概略図である。
【図７】端末の干渉条件に応じてＤＣＩに干渉情報を含める方法を図解した概略図である。
【図８】ＤＣＩの２つのフォーマットの間の切替えを示している概略図である。
【図９】リソース割当てヘッダによって、ＤＣＩの２つのフォーマットの間で切り替える方法を示している概略図である。
【図１０】強い干渉によって影響される端末に対する干渉パラメータの送信を示している概略図である。
【図１１】弱い干渉によって影響される端末に対する干渉パラメータの送信を示している概略図である。
【図１２】図９および図１０に示したように干渉パラメータをシグナリングする場合の状態の遷移を示している概略図である。
【図１３】第２のトランスポートブロックのスケジューリング情報のＭＣＳフィールドの一部分の中で干渉情報を送信する方法を示している概略図である。
【図１４】冗長バージョンフィールドによって、ＤＣＩの２つのフォーマットの間で切り替える方法を示している概略図である。
【図１５】リソースブロック割当ての粒度（granularity）が低い場合に、使用されないリソースブロック割当てビットを利用する方法を示している概略図である。
【図１６】リソースブロック割当ての粒度が低い場合に、複数の干渉情報セットの送信を制御する目的に、使用されないリソースブロック割当てビットを利用する方法を示している概略図である。
【図１７】送信モードと、干渉情報の送信との間の関係を示している概略図である。
【図１８】新規の送信モードを含む送信モードと、干渉情報の送信との間の関係を示している概略図である。
【図１９】本発明によるいくつかの装置を図解したブロック図である。
【図２０】図２０Ａおよび図２０Ｂは、干渉情報の送信をサポートする新規のＤＣＩフォーマットを示している概略図である。
【発明を実施するための形態】
【００７０】
本発明は、ネットワーク側の支援によって干渉の除去および抑制をサポートすることに対処する。ユーザ機器側で干渉の除去および抑制を行うことにより、ＰＤＳＣＨの信号対干渉・雑音比（ＳＩＮＲ）が高くなるため、ダウンリンクのユーザスループットを大幅に高めることができる。効果的な干渉の除去および抑制を実行するためには、ユーザ機器側で干渉パラメータを認識している必要がある。干渉は、例えば図５に示したようなセル間干渉である。したがって、ユーザ機器は、サービングノード（例えばＬＴＥシステムにおけるｅＮＢなどの基地局）によってサーブされており、別のそれぞれのセルを制御する別の基地局などの別のノードからの干渉にさらされる。なお、干渉源は、必ずしもｅＮＢなどのネットワークノードであるとは限らないことに留意されたい。干渉は、中継ノードによって、または（特にＬＴＥのアップリンクにおける）別の端末によって、またはサービングノード自体から別の受信機への並行する送信によっても、発生しうる。
【００７１】
本発明は、隣接する干渉セルにおいて使用されている送信パラメータのうち干渉被害を受けるユーザ機器とサービングノードの間の送信との干渉につながる送信パラメータに関する情報を送信する方法を提供する。干渉被害を受けるユーザ機器（干渉を受けるユーザ機器）は、この情報を使用して干渉の除去および抑制を実行することができる。
【００７２】
なお、「セルラーシステム」または「セル」という用語は、マクロセル、ミクロセル、ピコセル、フェムトセル、または任意の他のコンセプトを含む任意の形態のセルを意味することに留意されたい。セル間干渉は、階層的に編成されたセル（ピコセルのエリアを含むマクロセルなど）によっても発生しうる。さらに、本発明の目的において、中継ノード（または中継機能を提供するユーザ端末）のカバレッジもセルを形成しうるものと想定する。さらには、抑制するべき干渉は、別の端末との干渉によっても発生しうる。
【００７３】
本発明は、ＬＴＥ環境において、干渉被害を受けるユーザ機器に、ダウンリンク制御情報（ＤＣＩ）の１つのフォーマットの中でＰＤＳＣＨスケジューリング情報と一緒に干渉情報を提供するためのさまざまな方法を説明する。このことは、ＬＴＥリリース１１の既存のＤＣＩフォーマットの特定のビットを再利用することによって、あるいは１つまたは複数の新規のＤＣＩフォーマットを導入することによって、達成することができる。
【００７４】
特に、サービングｅＮＢの送信パラメータは、物理ダウンリンク制御チャネル（ＰＤＣＣＨ）または拡張物理ダウンリンク制御チャネル（Ｅ−ＰＤＣＣＨ）において送信されるダウンリンク制御情報（ＤＣＩ）の形で、ユーザ機器に送信される。可能な方法として、ＤＣＩフォーマットの中で干渉情報も提供する。
【００７５】
１つの方法として、隣接するセル（または別の干渉源）からの干渉情報のみを含む新規のＤＣＩフォーマットを導入することができる。しかしながら、このような方法を使用することは、干渉被害を受けるユーザ機器（干渉によって影響されるユーザ機器）が、２つのＰＤＣＣＨまたはＥ−ＰＤＣＣＨ（すなわち、ＰＤＳＣＨ割当て情報を含むＤＣＩを伝える（Ｅ）ＰＤＣＣＨと、干渉情報を含むＤＣＩを伝える（Ｅ）ＰＤＣＣＨ）を受信しなければならないことを意味する。このような方法では関連する２つの問題が存在し、すなわち、（ａ）２つのＰＤＣＣＨまたはＥ−ＰＤＣＣＨを受信する必要がある場合、ＤＣＩの追加のブラインド検出および復号が要求される、（ｂ）２つのＰＤＣＣＨまたはＥ−ＰＤＣＣＨを送信することにより、ダウンリンク制御シグナリングのための必要な送信リソースが増大する。この場合の送信リソースは、ＬＴＥ仕様書である非特許文献８の例えば６．８節および６．８Ａ節に定義されているように制御チャネル要素（ＣＣＥ）または拡張制御チャネル要素（ＥＣＣＥ）の形で与えられる。
【００７６】
ＬＴＥ仕様書である非特許文献４の５．３．３．１節にすでに定義されているＤＣＩフォーマットを、干渉情報を提供するために使用されるビット分だけ拡張することができる。新規のＤＣＩフォーマットを導入する方法と比較したときの利点として、ＰＤＣＣＨまたはＥ−ＰＤＣＣＨの追加のブラインド検出および復号が要求されず、なぜならＰＤＳＣＨ割当て情報および干渉情報の両方が１つのＤＣＩフォーマットの中で提供されるためである。
【００７７】
しかしながら、このような方法では関連する２つの欠点も存在し、すなわち、（ａ）ＤＣＩフォーマットのサイズを拡張する結果として、サイズの増大に起因してＰＤＣＣＨまたはＥ−ＰＤＣＣＨの堅牢性が低下する、（ｂ）ＤＣＩフォーマットのサイズが大きくなる結果として、要求される制御チャネル要素（ＣＣＥ／ＥＣＣＥ）が増大しうる。チャネル符号化率の低下に起因して堅牢性が低下することは重大な問題であり、なぜなら干渉の除去および抑制の対象候補であるユーザ機器は、一般にはセルの周縁部に位置しており信号対干渉・雑音比（ＳＩＮＲ）レベルが低いユーザ機器であるためである。
【００７８】
解決するべき問題は、以下の設計目標を満たすことによって、干渉情報をサービングｅＮＢによって第１層シグナリングの形で提供することである。
−  追加の制御オーバーヘッドを最小限にする：  シグナリングの解決策は、要求されるＣＣＥ／ＥＣＣＥの形における追加のシグナリングオーバーヘッドができる限り少ないべきである。
−  仕様および実装の変更が最小である：  新しい仕様にスムーズに移行できるように、暗黙的に要求される３ＧＰＰ仕様の変更はできる限り小さく維持されるべきである。
−  ＤＣＩの追加のブラインド復号を回避する：  ユーザ機器の実装の複雑さを低く維持する目的で、ダウンリンク制御情報の追加のブラインド復号処理が導入されることを回避するべきである。
−  必要な場合のみに干渉情報を提供する：  干渉情報は必要なときにのみユーザ機器に提供するべきである。この要件は、制御オーバーヘッドを最小限にする必要性に関連する。
【００７９】
本発明によると、干渉情報を、ＰＤＳＣＨスケジューリング情報と一緒に同じＤＣＩフォーマットの中で提供する。
【００８０】
特に、セルラー通信システムにおいてサービング基地局からデータを受信する、またはサービング基地局にデータを送信する方法、を提供する。本方法は、端末などの受信側ノードにおいて実行され、サービング基地局によって送信されるダウンリンク制御情報ＤＣＩを識別および復号するためにブラインド復号を適用する。次いで、ダウンリンク制御情報の第１のフィールドからスケジューリング制御情報を抽出し、ダウンリンク制御情報の第２のフィールドから干渉情報を抽出するステップを実行する。最後に、受信側ノードは、サービング基地局以外の送信機に起因する干渉を低減するため、干渉情報を考慮しながら、スケジューリング情報によって指定されるリソース上でデータを受信または送信する。
【００８１】
本明細書において、「ブラインド復号」という用語は、データ送信を、対応する送信パラメータ（割り当てられているリソースやトランスポートフォーマット（すなわちＤＣＩフォーマット）など）を事前に認識することなく復号することを意味する。ＬＴＥでは、端末は、ＰＤＣＣＨの送信に使用される制御チャネル要素（ＣＣＥ）の数もしくは位置またはその両方を事前に認識していない。端末は、自身への制御情報を検出する目的で、入ってくる制御情報を、ＣＣＥのさまざまな組合せを想定して「盲目的に」復号することを試みた後、ＣＲＣをチェックする。ＣＲＣが一致する場合、端末は、そのＰＤＣＣＨが自身を対象としており制御情報が正しく復号されたものと結論する。ＣＲＣが一致しない場合、端末は、ＣＣＥの別の位置を検出する。ＬＴＥでは、復号の試行回数を少なく維持する目的で、各端末に対していわゆるサーチスペースを使用する。サーチスペースは、端末が自身宛の制御情報がないか監視する必要のあるＣＣＥの組合せを決める。サービング基地局／サービングネットワークノード以外の送信機は、別の基地局や中継ノード、または別の端末とすることができる。
【００８２】
この方法では、干渉情報をユーザ機器に提供する目的に、ＬＴＥリリース１１においてすでに存在するＤＣＩフォーマットの中のビットを再利用することが可能である。
【００８３】
干渉情報を提供するために使用されるＤＣＩフォーマットは、リリース１１において２つのトランスポートブロックを含むＰＤＳＣＨ割当てを示すために使用されるＤＣＩフォーマットである。トランスポートブロックは、個別のチャネル符号化を使用して１つのコードワードを伝える。２つのトランスポートブロックのスケジューリングは、ＬＴＥでは、複数の空間レイヤで送信する場合に使用される。コードワードをトランスポートブロックにマッピングする処理については、ＬＴＥ仕様書である非特許文献４の５．３．３．１節に定義されており、トランスポートブロックを空間レイヤにマッピングする処理については、ＬＴＥ仕様書である非特許文献８の６．３．３節に定義されている。
【００８４】
２つのトランスポートブロックをスケジューリングするために使用できる、リリース１１によってサポートされるＤＣＩフォーマットは、以下のとおりである。
−  ＤＣＩフォーマット２：  閉ループ空間多重化または送信ダイバーシチ
−  ＤＣＩフォーマット２Ａ：  大きな遅延ＣＤＤ（循環遅延ダイバーシチ）または送信ダイバーシチ
−  ＤＣＩフォーマット２Ｂ：  アンテナポート７および８を使用してのデュアルレイヤ送信または単一アンテナポート７または８を使用しての送信
−  ＤＣＩフォーマット２Ｃ：  アンテナポート７〜１４を使用しての最大８レイヤでの送信または単一アンテナポート７または８を使用しての送信
−  ＤＣＩフォーマット２Ｄ：  アンテナポート７〜１４を使用しての最大８レイヤでの送信または単一アンテナポート７または８を使用しての送信
【００８５】
図３Ａ〜図３Ｅは、これらのフォーマットを単純化して示している。具体的には、図３Ａは、ＤＣＩフォーマット２が、長さ１ビットのリソース割当てヘッダと、それに続くリソースブロック割当てフィールド（ＲＢＡ）を含むことを示している。リソースブロック割当て（ＲＢＡ）はビットマップであり、物理リソースブロック（ＰＲＢ）（のグループ）それぞれについて、制御対象のノード（端末など）にリソースが割り当てられるか否かを指定する。このＤＣＩフォーマット２は、さらに、ＴＰＣ（送信電力制御）情報と、ＨＡＲＱ設定（プロセス番号）と、２つのトランスポートブロックをコードワードに割り当てるためのトランスポートブロック−コードワードスワップフラグ（transport block to codeword swap flag）と、２つのトランスポートブロックそれぞれに固有なスケジューリング情報とを含む。トランスポートブロックに固有なスケジューリング情報は、８個のビットを有し、変調・符号化方式（ＭＣＳ）の指示情報と、新規データインジケータ（ＮＤＩ）と、冗長バージョン（ＲＶ）の指示情報とを含む。最後にプリコーディング情報がシグナリングされ、プリコーディング情報は、ｅＮＢにおけるアンテナポートの数に応じて３個または６個のビット長を有し、例えばランクインジケータ（ＲＩ）やプリコーディング行列インジケータ（ＰＭＩ）を含む。
【００８６】
図３ＢはＤＣＩフォーマット２Ａを示しており、ＤＣＩフォーマット２と特に異なる点として、プリコーディング情報が短く、アンテナポートの数に応じて０個または２個のビット長を有する。図３ＣはＤＣＩフォーマット２Ｂを示しており、このフォーマットは、リソース割当てヘッダ以外に、リソースブロック割当て（ＲＢＡ）情報、ＴＰＣ情報、ＨＡＲＱ情報、２つのトランスポートブロックのスケジューリング情報、スクランブリングＩＤを含む。図３ＤはＤＣＩフォーマット２Ｃを示しており、フォーマット２Ｂと特に異なる点として、アンテナポート、スクランブリングＩＤ、およびレイヤ数に関する情報を含む。図３ＥはＤＣＩフォーマット２Ｄを示しており、このフォーマットは、フォーマット２Ｃに関して説明した要素に加えて、１つまたは一連の送信点をユーザ機器に知らせるためのＰＱＩ（ＰＤＳＣＨレートマッチングおよび擬似コロケーションインジケータ）を含む。
【００８７】
しかしながら、本発明は、既存のＤＣＩフォーマットを再利用することに限定されない。これに代えて、特徴として第２のフィールドの中に干渉情報を含む新規のＤＣＩフォーマットを定義することができる。
【００８８】
本発明の実施形態によると、ダウンリンク制御情報の第１のフィールドから抽出されるスケジューリング情報は、データの第１のトランスポートブロックの送信パラメータを示す第１のスケジューリング情報である。第２のフィールドは、干渉情報、または、データの第２のトランスポートブロックの送信パラメータを示す第２のスケジューリング情報、のいずれかを含む。
【００８９】
したがって、ＬＴＥの用語で記述すると、ユーザ機器に対して以下のいずれかのスケジューリングを行うことができる。
−  ２つのトランスポートブロックを含むＰＤＳＣＨ送信をスケジューリングする。この場合、干渉は無視できる（すなわちユーザ機器は図５に示したエリア５００の外側である）ものと想定する。
−  １つのトランスポートブロックを含むＰＤＳＣＨ送信をスケジューリングし、このスケジューリングと組み合わせて受信側ユーザ機器に干渉情報を提供する。
【００９０】
図６は、ＤＣＩフォーマットの中の、２つのトランスポートブロックの一方のためのビットを使用して、干渉情報を提供する方法を示している。ＤＣＩフォーマットの残りのビットの解釈は変更されない。具体的には、図６には、まずダウンリンク制御情報の第１のフィールド６１０の内容を示してある。第１のフィールド６１０は、第１のトランスポートブロックのスケジューリング情報を伝える。スケジューリング情報には、変調・符号化方式、新規データインジケータ、および冗長バージョンが含まれる。第２のフィールド６２０の内容は、第２のトランスポートブロックのための同じタイプのスケジューリング情報（ＭＣＳ、ＮＤＩ、ＲＶ）を含む。したがって、第１のフィールド６１０および第２のフィールド６２０は、ＬＴＥの現在のＤＣＩフォーマットに一致する。このフォーマットは、かなり弱い干渉（例えば所定のしきい値を超えない干渉）を受ける端末に適用されることが有利である。端末が強い干渉（例えば特定のしきい値を超える干渉）を受ける場合、この実施形態におけるＤＣＩのフォーマットは、第１のフィールド６３０および第２のフィールド６５０に対応する。第１のフィールド６３０には、第１のフィールド６１０と同様に、第１のトランスポートブロックのスケジューリング情報が含まれる。フィールド６１０，６２０，６３０，６４０の長さは同じである。しかしながら第２のフィールド６５０には、第２のトランスポートブロックに関連する情報ではなく、受信装置のための干渉情報が含まれる。受信装置は、この干渉情報によって、図４に図解したように干渉の推定を実行し、したがって干渉を除去または抑制することが可能である。
【００９１】
この方法の影響として、１つのトランスポートブロックがスケジューリングされる場合にのみユーザ機器に干渉情報を提供することができる。ユーザ機器に対して２つのトランスポートブロックをスケジューリングするべきである場合、干渉情報は提供されない。
【００９２】
図７は、セル間干渉が発生する一般的なＮＡＩＣＳシナリオにおいて基本的なコンセプトを適用する方法を示している。この図はユーザ機器の４つの異なる位置（７０１，７０２，７０３，７０４）を示しており、位置７０１および位置７０２におけるユーザ機器は強いセル間干渉を受けないが、位置７０３および位置７０４におけるユーザ機器は強い干渉によって影響される。干渉電力レベルが高い場合の効果的な干渉の除去および抑制は、正確な干渉の推定（図４におけるＩ’）を得る能力によって決まるため、位置７０３および位置７０４におけるユーザ機器のみに干渉情報を提供することが合理的である。位置７０１および位置７０２におけるユーザ機器には干渉情報は必要なく、なぜなら干渉電力が極めて低く、したがって、干渉除去を使用する（これによりさらなる計算能力およびしたがってさらなる電力が要求される）十分な理由がないためである。
【００９３】
この実施形態の暗黙的な制約、すなわち位置７０３および位置７０４のユーザ機器に対しては２つのトランスポートブロックをスケジューリングできないことは、システムの性能にマイナスに影響しないものと予測される。ＬＴＥでは、２つのトランスポートブロックのスケジューリングは、複数の空間レイヤで送信する場合に使用される。複数の空間レイヤで送信する恩恵が最も大きいのは、信号対干渉・雑音比（ＳＩＮＲ）レベルが高い場合であり、すなわちユーザ機器がセルの中央付近に位置しており、受ける干渉電力レベルが低い場合である。これに対して、セルの周縁部付近に位置するユーザ機器は高い干渉電力レベルを受け、したがってＳＩＮＲを最大にする目的で単一レイヤでの送信がスケジューリングされる。
【００９４】
図８は、ＤＣＩフォーマットの解釈の状態を切り替える例を示している。具体的には、図８は、ＮＡＩＣＳがサポートされるように設定されているユーザ機器へのダウンリンク制御シグナリングを、２つの状態によって記述できることを示している。状態Ａでは、２つのトランスポートブロックのＤＣＩスケジューリング情報が提供されかつ干渉情報が提供されず（６１０，６２０）、状態Ｂでは、１つのトランスポートブロックのＤＣＩスケジューリング情報６３０が提供されることに加えて干渉情報６５０も含まれる。
【００９５】
これら２つの状態Ａおよび設定Ｂの間で切り替えるための複数の異なるオプションがある。例えば、上位層シグナリングによって、またはＤＣＩフォーマットの中の動的な指示情報によって、切替えを実行することができる。
【００９６】
これらの実施形態のうちの最初の実施形態においては、物理層より上位のプロトコル層において切替えメッセージを受信し、この切替えメッセージは、第２のフィールドのフォーマット、すなわち第２のフィールドが干渉情報を伝えるか否かを示す。なお、切替えメッセージは、ＤＣＩに干渉情報が含まれるか否かを示すことのできる任意のフォーマットを有することができる。切替えメッセージは、例えば、ＤＣＩフォーマット（具体的には、特定のユーザ機器へのＤＣＩに干渉情報が含まれるか否かの設定）が変更される場合にのみ送信することができる。例えば、受信装置の干渉条件が変化する場合に、このような切替えメッセージを送信することができる。このような変化は、干渉が大きくなり、したがって干渉情報を送信することが有用／必要となった場合である。さらには、干渉が小さくなり、したがって干渉情報を送信する必要がなくなった場合である。
【００９７】
しかしながら、本発明は、既存のＤＣＩフォーマットを再利用することに限定されないことに留意されたい。干渉情報を含む新規のＤＣＩフォーマットを導入することができる。このような新規のＤＣＩフォーマットは、図６に示したように、第１のトランスポートブロックの情報と、干渉情報とを含み（６３０，６５０）、第２のトランスポートブロックの情報を含まないことが好ましい。これにより、現在使用されているＤＣＩと同程度のフィールドサイズを有する新規のＤＣＩを定義することが可能である。このＤＣＩフォーマットの中の新規の追加のビットによって、両方の状態の間の動的な切替えを示すことができる。しかしながら、新規のＤＣＩは、別のフォーマットを有することもできる。例えば、ＤＣＩに干渉情報を単純に追加することができる。したがって、ＤＣＩは、両方のトランスポートブロックに関連するスケジューリング情報と、これに加えて、干渉情報（干渉パラメータ）を伝える新規のフィールドとを含むことができる。なお、このような追加の干渉情報フィールドは、送信される干渉パラメータに従って任意のサイズを有することができることに留意されたい。このサイズは、所定のビット数に固定することができる。新規に定義されるＤＣＩでは、２つのトランスポートブロックのスケジューリング情報と干渉情報とを同じＤＣＩフォーマットの中で提供できるため、動的な切替えを必要としない。
【００９８】
図８は、本発明の一実施形態を示しており、この実施形態によると、２つの状態Ａと状態Ｂの間の切替えを、上位層シグナリングによって（例えばＭＡＣメッセージまたはＲＲＣメッセージによって）半静的に実行する。すでに定義されているＭＡＣメッセージまたはＲＲＣメッセージ（例えば、ＬＴＥ仕様書である非特許文献９の５．３．５節に記載されているＲＲＣ接続再設定）に、切替えメッセージのための新規の要素を追加することができる。これに代えて、サービングｅＮＢによるＮＡＩＣＳのサポートを示すための新規のＭＡＣメッセージまたはＲＲＣメッセージを定義することができる。
【００９９】
状態の変更に関する決定は、例えば、隣接するセルの基準信号受信電力（ＲＳＲＰ）またはＲＳＲＱ測定値に基づいて行うことができる。ＲＳＲＰは、指定された帯域幅全体にわたる基準信号電力の線形平均である。ＲＳＲＰは、通常では、セルの選択、再選択、およびハンドオーバーの目的でユーザ機器によって測定される。ユーザ機器は、パイロット信号（所定の電力で送信される基準信号）の電力を測定する。測定結果がサービングノードに報告される。ＲＳＲＱ測定値は追加の情報を提供し、ＲＳＲＰと、受信信号強度インジケータ（ＲＳＳＩ）との比であり、測定帯域幅（すなわちリソースブロックの数）に依存する。ＲＳＳＩは、すべての干渉および熱雑音を含む総受信広帯域電力である。ＲＳＲＱは信号強度と干渉レベルを結びつけるため、この測定値は、モビリティの決定のための追加の支援を提供するのみならず、干渉レベルをおおまかに推定する手段を提供する。ＲＳＲＱ測定結果もサービングノードにシグナリングされる。ＲＳＲＰおよびＲＳＲＱの詳細は、それぞれ、ＬＴＥ仕様書である非特許文献１０の５．１．１節および５．１．３節に記載されている。したがって、ＤＣＩ情報の受信機によってサービングノード（サービング基地局）に提供される測定値を使用して、ＤＣＩに干渉パラメータを含めるか否かを決定することができる。次いでサービングノードは、自身が実行するこの決定に従って、それぞれのＤＣＩ受信機に切替えメッセージを送信する。なお、ＲＳＲＰおよびＲＳＲＱは、ＬＴＥの場合の単なる例にすぎないことに留意されたい。しかしながら本発明は、これらの例に限定されない。一般的には、ＤＣＩの受信機からサービングノードに報告される、ＤＣＩの受信機における干渉状態を反映する任意の測定値を使用することができる。
【０１００】
ＤＣＩフォーマットが干渉情報を含む、または含まないことを上位層シグナリングによってシグナリングする方法に代えて、本発明の別の実施形態によると、２つのトランスポートブロックのスケジューリング情報を提供しかつ干渉情報を提供しない場合（状態Ａ）と、１つのトランスポートブロックのスケジューリング情報と干渉情報とを提供する場合（状態Ｂ）とを、第１層シグナリングによって動的に切り替える方法が考えられる。
【０１０１】
したがって、物理層において切替え指示情報が提供され、この切替え指示情報は、第２のフィールドのフォーマット、すなわち第２のフィールドが干渉情報を伝えるか否か、を示す。この切替え指示情報は、対応するＤＣＩの中で直接シグナリングすることができる。
【０１０２】
具体的には、２つの状態Ａおよび状態Ｂ（すなわちＤＣＩフォーマットの中の第２のフィールドの適用されるフォーマット）の間の切替えは、ＤＣＩフォーマット自身の中で示す。このことは、状態を示すために使用される新規のビットを導入することによって、または、既存のＤＣＩフォーマットの中のビットをこの目的のために割り当てることによって、達成することができる。
【０１０３】
図９は、ＤＣＩフォーマット２，２Ａ，２Ｂ，２Ｃ，２Ｄのリソース割当てヘッダを再利用する方法を示している。これらのＤＣＩフォーマットにおけるリソース割当てヘッダは、リリース１１のＬＴＥでは、現在のところ次の２つの割当てタイプの間で切り替える目的に使用されている。
−  タイプ０：  スケジューリング対象のユーザ機器に割り当てられるリソースブロックグループ（ＲＢＧ）を、ビットマップによって示す。リソースブロックグループ（ＲＢＧ）は、連続する物理リソースブロック（ＰＲＢ）のセットからなる。
−  タイプ１：  物理リソースブロック（ＰＲＢ）のサブセットの中の個々の物理リソースブロック（ＰＲＢ）を割り当てることができる。ビットマップはタイプ０の場合よりもわずかに小さく、なぜならいくつかのビットは物理リソースブロック（ＰＲＢ）のサブセットを示すために使用されるためである。このタイプ１のリソース割当て方法が用意されている理由は、周波数ダイバーシチを利用するために周波数領域全体にわたりリソースを拡散させるうえでの柔軟性である。
【０１０４】
上述したように、タイプ１によるリソース割当ては、周波数ダイバーシチを有効に利用する目的で使用される。このことは、セル間干渉に対処するための方策として理解することもできる。しかしながら、効果的な干渉の除去および抑制のために必要な干渉情報に関して、この割当て方式はむしろ逆効果であり、なぜならＰＤＳＣＨを周波数チャネルの大きな領域にわたり拡散させると、ほとんどの場合には異なる物理リソースブロック（ＰＲＢ）の干渉パラメータの間の相関関係が最小となり、これに起因して対象のＰＤＳＣＨへの干渉が生じる。したがって、これらのパラメータをブラインド検出することが可能ではない場合、要求される干渉パラメータのシグナリングオーバーヘッドがかなり大きくなる。したがって、干渉パラメータの提供という観点では、タイプ０に基づくリソース割当ての方が、連続する物理リソースブロック（ＰＲＢ）のグループの割当て粒度の理由で有利である。
【０１０５】
したがって、１つのトランスポートブロックを割り当てかつ干渉情報を提供するＤＣＩフォーマットの場合にタイプ０のリソース割当てに制限することは、ＰＤＳＣＨのスループット性能にマイナスに影響しないものと予測される。
【０１０６】
図１０および図１１は、それぞれ、干渉ｅＮＢ  Ｂにおけるトラフィック負荷が高い場合および低い場合において、干渉情報の提供を動的に示す状況を示している。具体的には、図１０には、強い干渉を受けない端末１００１および端末１００２が示されている。端末１００３および端末１００４は、ｅＮＢ  Ｂからの強い干渉を受けるエリア内にある。したがって、端末１００３および端末１００４には、干渉を推定して干渉の除去を適用できるようにする目的で、ｅＮＢ  Ｂの送信設定に対応する干渉パラメータを提供することが有利である。したがって、端末１００１および端末１００２には、２つのトランスポートブロックに関するスケジューリング情報１０１０，１０２０を提供する。リソース割当てヘッダ１０９１は、現在のリリース１１のＬＴＥにおいて意図されているとおりに（すなわち上に説明したようにタイプ０またはタイプ１をシグナリングする目的に）適用される。これとは対照的に、端末１００３および端末１００４は干渉情報の送信を必要とするため、これらの端末には、１つのみのトランスポートブロックのスケジューリング情報１０３０と干渉パラメータ１０５０とを含むＤＣＩを提供する。第１のフィールドおよび第２のフィールドをこのように解釈すべきことは、リソース割当てヘッダ１０９２を１に設定することによってシグナリングされる。
【０１０７】
図１１は、ｅＮＢ  Ｂからの干渉が強くなく、したがって端末１００３および端末１００４にも干渉情報を提供する必要がない場合を示している。したがって、端末１００３および端末１００４へのＤＣＩには、０に設定されたリソース割当てヘッダ（第１のフィールド１１３０および第２のフィールド１１７０がそれぞれのトランスポートブロックに関連するスケジューリング情報を伝えることを意味する）が含まれる。図１０および図１１いずれの例においても、端末１００３および端末１００４にはタイプ０の割当てを適用するものと想定する。しかしながら、端末１００１および端末１００２には、割当てをタイプ０またはタイプ１に自由に設定することができる。
【０１０８】
ユーザ機器１００１およびユーザ機器１００２は、たとえトラフィック負荷が高い場合にも（例えば上述したようにＲＳＲＰ測定値に基づいて）ｅＮＢ  Ｂからの強い干渉を受けないものと予測されるため、これらのユーザ機器はＮＡＩＣＳをサポートするようには設定されない。これらのユーザ機器には、つねにタイプ０またはタイプ１のいずれかに基づくリソース割当てによって２つのトランスポートブロックをスケジューリングすることができる。
【０１０９】
ユーザ機器１００３およびユーザ機器１００４は、対応するセルにおけるトラフィック負荷が高い場合に、ｅＮＢ  Ｂからの干渉被害を受ける可能性がある。これらのユーザ機器が干渉被害を受ける可能性があることは、例えば、上位層シグナリングの例において上述したようにＲＳＲＰ測定値によって判定することができる。したがってユーザ機器１００３およびユーザ機器１００４は、ＮＡＩＣＳがサポートされるように設定される。本発明の一実施形態によると、すなわち、これらのユーザ機器には、タイプ０のリソース割当てによってのみＰＤＳＣＨをスケジューリングすることができ、ＤＣＩフォーマットは、２つのトランスポートブロックのスケジューリング情報、または、１つのみトランスポートブロックのスケジューリング情報と干渉情報、を提供する。
【０１１０】
ユーザ機器１００３およびユーザ機器１００４に対しては、（ｅＮＢ  Ｂにおけるトラフィック負荷が干渉の主原因であると想定したとき）ｅＮＢ  Ｂにおけるトラフィック負荷が低いために信号対干渉・雑音比（ＳＩＮＲ）が高い場合に、２つのトランスポートブロックをスケジューリングすることができる。サービングｅＮＢ  Ａには、ｅＮＢ  Ｂにおけるトラフィック負荷について、両方のｅＮＢの間のバックホールシグナリングによって（例えば、ＬＴＥ仕様書である非特許文献１１に定義されているＸ２インタフェースの対応する拡張部分によって）知らせることができる。トラフィック負荷が高い場合、ユーザ機器に対して、干渉情報の提供と組み合わせて１つのトランスポートブロックの送信をスケジューリングすることができる。
【０１１１】
ユーザ機器１００３およびユーザ機器１００４への２つの可能な情報構成を動的に切り替えることは、トラフィック負荷が高速で変動する場合（例えばＦＴＰトラフィックを想定する場合に一般的である）に有利である。したがって、ＮＡＩＣＳがサポートされるように設定されるユーザ機器へのダウンリンク制御シグナリングは、次の３つの状態によって記述することができ、すなわち、タイプ０およびタイプ１に基づくリソース割当てによって２つのトランスポートブロックをスケジューリングしかつ干渉情報を提供しない状態Ａと、タイプ０に基づくリソース割当てによって２つのトランスポートブロックをスケジューリングしかつ干渉情報を提供しない状態Ｂ１と、タイプ０に基づくリソース割当てによって１つのトランスポートブロックをスケジューリングしかつ干渉情報を提供する状態Ｂ２である。
【０１１２】
図１２は、対応する状態モデルを示している。状態Ａと状態Ｂ（サブ状態Ｂ１およびサブ状態Ｂ２を含む）の間の切替えは、上位層シグナリングによって（例えば、ＬＴＥ仕様書である非特許文献９の５．３．５節に記載されているＲＲＣ接続再設定によって）半静的に実行される。サブ状態Ｂ１とサブ状態Ｂ２の間の切替えは、本発明に説明されているようにＤＣＩフォーマットの中の指示情報によって動的に実行される。
【０１１３】
要約すると、この実施形態では、切替えの指示情報は、３ＧＰＰ  ＬＴＥリリース１１のダウンリンク制御情報（ＤＣＩ）メッセージの中のリソース割当てヘッダフィールドにおいて受信され、この場合、タイプ０の割当てが適用されるものと想定する。さらに、リソース割当てヘッダの解釈は、物理層より上位の層によって半静的に設定され、この場合にリソース割当てヘッダは、タイプ０またはタイプ１の割当てを示すものとして、または、切替えの指示情報を示すものとして、解釈することができる。上位層シグナリングは、ＭＡＣまたはＲＲＣとすることができる。
【０１１４】
図１３は、図１１および図１２に示した方法とは別の代替方法を示している。具体的には、図１３は、リリース１１のＬＴＥのＤＣＩフォーマット２，２Ａ，２Ｂ，２Ｃ，２Ｄの中のリソース割当てヘッダのビットの解釈を変更することによって、干渉情報が提供されるか否かを動的に切り替える変形形態を示している。この代替方法では、干渉情報の提供と組み合わせた場合にも、２つのトランスポートブロックをスケジューリングすることが可能である。図１３において理解できるように、この実施形態においても動的な切替えを適用することができる。しかしながら、図１３に示した第２のフィールド１３５０，１３７０のフォーマットを、動的な切替えなしでも適用できることに留意されたい。その場合の切替えは、上位層プロトコルによって半静的に行うことができる。
【０１１５】
図１３において、ダウンリンク制御情報の第１のフィールドから抽出されるスケジューリング情報は、データの第１のトランスポートブロックの送信パラメータを示す第１のスケジューリング情報１３３０である。ダウンリンク制御情報の第２のフィールドは、干渉情報１３５０と、データの第２のトランスポートブロックの送信パラメータを示す短縮された第２のスケジューリング情報１３７０との組合せ、または、データの第２のトランスポートブロックの送信パラメータを示す完全な第２のスケジューリング情報、のいずれかを含む。
【０１１６】
好ましくは、第１のフィールドと第２のフィールドが同じサイズを有し、第１のフィールドおよび第２のフィールドそれぞれが、変調・符号化方式（ＭＣＳ）を示す変調・符号化方式サブフィールドを含み、第１のフィールドの変調・符号化方式サブフィールドの方が第２のフィールドの変調・符号化方式サブフィールドよりも大きい。このように、干渉パラメータと、第２のトランスポートブロックに関する情報の両方を同じＤＣＩの中で伝えることを可能にする目的で、ＭＣＳフィールドを短縮する。なお、ＭＣＳフィールドを短縮することは、一例にすぎないことに留意されたい。一般的には、ＭＣＳフィールドに代えて、またはＭＣＳフィールドに加えて、ＲＶなどの任意の情報を短縮することができる。
【０１１７】
しかしながら、この実施形態では、トランスポートブロック２のスケジューリング上の柔軟性が低下する。変調・符号化方式（ＭＣＳ）を示すためにもともと５個のビットが割り当てられていたが、これらの５個のビットの一部分（例えば図１３に示した例では２個のビット）に短縮される。変調・符号化方式（ＭＣＳ）を示すためのビットのうち減らされた数のビットを使用することで、例えば、ＬＴＥ仕様書である非特許文献１２の７．１．７節に定義されているようにトランスポートブロック１およびトランスポートブロック２に対して同じＭＣＳテーブルを想定するとき、トランスポートブロック１のＭＣＳレベルと比較しての差を示す（differential indication）ことによって、ＭＣＳレベルを示すことができる。ＭＣＳの差を示すためのビットが２個である場合、４つのレベルがサポートされ、３個のビットでは８つのレベルがサポートされる。差を示すためのビットがさらに多ければ、さらに高い柔軟性が提供されるが、その恩恵はごく小さいものと予測される。
【０１１８】
図１０〜図１２を参照しながら説明した方式と比較したときのこの方法の欠点として、干渉情報を提供するために使用できるビット数が減少する。このことがシステムの性能に影響する程度は、ユーザ機器の受信機に要求される干渉情報量に依存する。要求される干渉情報が多いほど、対応するＤＣＩの中に多くのビットが必要となり、指定できるＭＣＳの範囲が減少する。
【０１１９】
図１４は、ＤＣＩフォーマット２，２Ａ，２Ｂ，２Ｃ，２Ｄの中で干渉情報を動的に提供するための別の変形形態を示している。図１０〜図１３を参照しながら上述した方式とは異なり、ＤＣＩフォーマットの解釈の切替えは、リソース割当てヘッダのビットの解釈を変更することによってではなく、トランスポートブロック２のための冗長バージョン（ＲＶ）フィールドの特定のコードポイントによって示される。図１４の上段は、第１のトランスポートブロックのスケジューリング情報１４１０と第２のトランスポートブロックのスケジューリング情報１４２０とを含むＤＣＩの送信を示している。スケジューリング情報１４２０の最後の２個のビットは、冗長バージョンによって形成されており、したがって値００，０１，１０，１１をとりうる。このフィールド１４２０の中のＲＶは、所定の値（図１４の例ではコードポイント０１）とは異なる値を有するため、フィールド１４２０は、第２のトランスポートブロックのスケジューリング情報と解釈される。図１４の下段では、第２のフィールド１４５０の冗長バージョン１４８０は値０１を有し、この値は所定の値に一致し、この実施形態では、第２のフィールド１４５０が、第２のトランスポートブロックのスケジューリング情報ではなく干渉情報と解釈されるべきことを示す。
【０１２０】
言い換えれば、この実施形態では、切替えの指示情報が第２のフィールドの中でシグナリングされ、具体的には、第２のフィールドのビットのサブセットによって定義することのできるすべての値のうち少なくとも１つのコードポイントが、第２のフィールドにおいて干渉情報が送信されることを示し、その少なくとも１つのコードポイント以外のすべてのコードポイントが、第２のフィールドにおいて干渉情報が送信されないことを示す。図１４に示したように、ビットのサブセット１４８０は、この少なくとも１つのコードポイントの値（例えば１４５０における０１）、または第２のトランスポートブロックの冗長バージョンを示す別の値（例えば１４２０におけるＲＶ）のいずれかをとることができる。しかしながら、冗長バージョンを使用することは一例にすぎないことに留意されたい。一般的には、干渉情報が存在することをシグナリングする目的に、第２のフィールド１４５０の別のビットのサブセットのコードポイントを利用することができる。例えば、変調・符号化方式フィールドＭＣＳにおける１つまたは複数のコードポイントを、この目的のために予約することができる。このことは、図１３を参照しながら説明した、ＭＣＳフィールドを短縮する実施形態にもあてはまる。このような場合、図１３におけるリソース割当てヘッダの解釈を変更する必要はなく、あらゆる干渉条件においてリソース割当てヘッダをその通常の意味において使用することができる。さらには、当業者には明らかであるように、これら２つの実施形態を組み合わせることも可能である。
【０１２１】
ＲＶフィールドは、ＬＴＥリリース１１では、ＨＡＲＱ送信においてコードワードの異なる冗長バージョンを選択する目的に使用される。４つの異なる冗長バージョンがサポートされており、この実施形態におけるように使用することができる。ＤＣＩの中で２つのトランスポートブロックを割り当てかつ干渉情報を提供する場合と、ＤＣＩの中で１つのトランスポートブロックを割り当てかつ干渉情報も提供する場合を、動的に切り替えることができるようにする目的で、トランスポートブロック２のＲＶフィールドの特定のコードポイント（例えば図１４における０１、一般的にはコードポイント００，１０，０１，１１のいずれか）を使用して、トランスポートブロック２のスケジューリング情報ではなく干渉情報が提供されることを示すことができる。
【０１２２】
この方法の利点として、リソース割当てをタイプ０およびタイプ１の両方に基づいて実行することができる。暗黙的な制約としては、トランスポートブロック２に対して特定の冗長バージョンをスケジューリングすることができない。図１０〜図１２を参照しながら説明した解決策と比較すると、干渉情報を提供するために使用できるビット数が、８ビットから６ビットに減少する。
【０１２３】
図１５は、本発明の別の変形形態を示している。この場合、トランスポートブロック２のためのビットフィールドの中で提供される干渉パラメータ情報に対応する干渉リソース割当てを示す目的に、ＤＣＩのリソースブロック割当て（ＲＢＡ）フィールドの一部を再利用する。なお、「切替え指示情報」という用語は、必ずしもフォーマットの変更を示さないことに留意されたい。ここまでの例に示したように、切替え指示情報は、現在のＤＣＩに適用される（切り替えた後の）フォーマットを示すことができる。しかしながら、本発明はこれに限定されず、切替え指示情報は、フォーマットが変更されるか否かを示すこともできる。同じことは、上位層によって送信される上述した切替えメッセージについてもあてはまる。
【０１２４】
ＬＴＥリリース１１では、リソース割当てがタイプ０に基づくと想定したとき、ＤＣＩのリソースブロック割当て（ＲＢＡ）フィールドは、そのＤＣＩの中で示されるＰＤＳＣＨ送信のために割り当てられるリソースブロックグループ（ＲＢＧ）のセットを示すビットマップを表す。リソースブロックグループ（ＲＢＧ）は、連続する物理リソースブロック（ＰＲＢ）のセットから構成され、リソースブロックグループ（ＲＢＧ）のサイズ（１個、２個、３個、または４個の物理リソースブロック（ＰＲＢ））は、次の表１に示したようにダウンリンク帯域幅によって決まる。
【０１２５】
【表１】
0006379214.tif 000002
【０１２６】
さらに表１は、ＮＡＩＣＳがサポートされるように設定されているユーザ機器へのリソース割当てにおいて、リソース割当ての粒度がどのように減少するかを示している。割当ての粒度が減少すると、現在のＤＣＩの中の元のリソースブロック割当て（ＲＢＡ）フィールドのサイズの半分のビットマップを使用して、ＰＤＳＣＨ送信のための物理リソースブロック（ＰＲＢ）を割り当てることが可能となる。リソースブロック割当て（ＲＢＡ）フィールドの残りの半分は、提供される干渉パラメータ情報に対応する干渉送信（interference transmission）のリソースブロック割当てを、干渉リソース割当てビットマップ（interference resource allocation bitmap）によって示す目的に使用される。
【０１２７】
図１５には、特に、上述したリソース割当てヘッダの解釈を変更することによって、現在のＤＣＩによって干渉情報が送信されるか否かを区別する方法を示してある。しかしながら、この実施形態は、リソース割当てヘッダが通常の意味として解釈されるように、リソース割当てヘッダの動的な指示情報を使用せずに、上位層による設定によって適用することもできる。さらには、この実施形態を、図１３および図１４に関して説明した前の実施形態と組み合わせることもできる。したがって、切替えの指示情報を第２のフィールドの中で送信する、もしくは、第２のフィールドが干渉情報とスケジューリング情報の両方を含む、またはその両方とすることができる。図１５によると、１ビットの長さを有するリソース割当てヘッダの後ろにリソースブロック割当て（ＲＢＡ）フィールドが続く。図１５の上段は、ＬＴＥにおいて現在使用されているリソースブロック割当て（ＲＢＡ）フィールドを示している。図１５の下段は、リソースブロック割当て（ＲＢＡ）フィールドが、第１のフィールド（この図では「トランスポートブロック１の情報」）に定義されている送信のためのリソースブロック割当てを伝える第１のサブフィールド１５８０と、干渉リソースブロック割当て（Interference Resource Block Assignment）を伝える第２のサブフィールド１５９０とを含む例を示している。第２のサブフィールド１５９０はビットマップであり、リソースブロックグループのペアそれぞれについて（粒度がリソースブロックグループのペア、すなわち２個、４個、６個、または８個の物理リソースブロック（ＰＲＢ）であることを示した上の表１を参照）、対応するビットが、第２のフィールドの中で送信される干渉情報が適用されるか否かを示す。例えば、干渉リソースブロック割当て１５９０の最初のビットは、リソースブロック割当て１５８０のビットマップの最初のビットに関連するリソースと同じリソースを指す。１５９０の最初のビットは値０をとることができ、この値０は、リソースブロック割当て１５８０の対応する最初のビットによって割り当てられるリソースに対して干渉除去のために干渉情報が適用されないことを示すことができる。１５９０の最初のビットは値１をとることもでき、この値１は、それぞれのリソースに対して干渉情報が使用されることを示す。
【０１２８】
一般的には、リソースブロック割当てフィールドは、スケジューリング情報が送信される対象の送信のためのリソース割当てを示す第１のサブフィールド１５８０と、第１のサブフィールド１５８０において指定されるそれぞれのリソースに対して干渉除去のために第２のフィールドの中の干渉情報が適用されるか否かを示す第２のサブフィールド１５９０と、を含む。したがって、ＤＣＩを受信する装置の送受信機の中の干渉除去ユニットが、第１のサブフィールドのビットによって割り当てられるそれぞれのリソースに対して干渉除去を適用する、または適用しないように、干渉リソースブロック割当て１５９０によって（すなわち第２のサブフィールドによって）、干渉除去ユニットを制御することができる。
【０１２９】
別のオプションとして、干渉リソース割当てビットマップを使用して、リソース割当て単位での干渉セルにおける２つの異なる干渉パラメータセットを識別する。リソース割当て単位は、表１に示されているＮＡＩＣＳの場合のリソース割当ての粒度に基づいて決まる。
【０１３０】
この場合、トランスポートブロック２のためのビットフィールドを２つの部分に分けることができ、１つは第１のセットの干渉パラメータを示し、もう１つは第２のセットの干渉パラメータを示す。図１６はこのコンセプトを示している。具体的には、図１６の上段は、図１５の上段と同じである。下段は、２つのサブフィールド１６８０，１６９０を含むリソースブロック割当てフィールドを示している。第１のサブフィールド１６８０は、図１５を参照しながら説明したサブフィールド１５８０と同じであり、リソースブロック割当てを示す。具体的には、第１のサブフィールド１６８０はビットマップを伝え、各ビットが、それぞれのリソース部分が割り当てられるか否かを示す。１個のビットによって割り当てられるリソース部分のサイズは、リソースブロックグループ（ＲＢＧ）のサイズと、ＮＡＩＣＳモードにおいて適用される粒度とによって決まる。表１の場合、例えば２行目では、各ビットが２つのリソースブロックグループ（ＲＢＧ）を指し、リソースブロックグループ（ＲＢＧ）それぞれが２個の物理リソースブロック（ＰＲＢ）からなる。
【０１３１】
リソースブロック割当てフィールドの第２のサブフィールド１６９０は、干渉情報識別子（Interference Information Distinguisher）であり、割り当てられるそれぞれのリソースについて、それぞれの割り当てられるリソースに対して、第２のフィールドに含まれている第１の干渉情報または第２の干渉情報が適用されるのかを示す。さらに、スケジューリング情報の第２のフィールドは、２組の干渉情報（「干渉情報１」および「干渉情報２」）を伝える。干渉除去ユニット（ＤＣＩを受信する装置の送受信機の一部）は、ＤＣＩの中で受信した干渉情報識別子１６９０に基づいて、干渉を推定する目的に干渉情報１または干渉情報２のいずれかを適用する。
【０１３２】
例えば、第１の干渉情報が、セル固有基準信号（ＣＲＳ）に基づく（干渉源の）送信に適用可能な干渉パラメータの第１のセットを含むことができ、第２の干渉情報が、ＤＭＲＳに基づく送信に適用可能な干渉パラメータの第２のセットを含むことができる。セル固有基準信号（ＣＲＳ）および復調基準信号（ＤＭＲＳ）は、ＬＴＥにおいて使用される基準信号である。ＣＲＳに基づく送信では、ＣＲＳは単なる基準信号であり、したがってプリコーディングに関する情報をＣＲＳに基づいて取得することはできない。したがって、プリコーディング情報（プリコーディング行列やランクインジケータなど）は個別に送信される。干渉源（ｅＮＢ  Ｂなど）に関連するプリコーディング情報によっても干渉の推定が向上するため、第１の干渉パラメータセットにプリコーディング情報も含まれることは合理的である。ＤＭＲＳは、基準信号であり、さらに、プリコーディングに関する情報と、特に、送信されるデータにプリコーディング行列を適用した結果としての位相を伝える。したがって、ＤＭＲＳに基づく送信の場合、プリコーディングに関する情報は必要ない。したがって、干渉パラメータの第２のセットはプリコーディングパラメータを含まないことが有利である。
【０１３３】
しかしながら、干渉源によるＤＭＲＳに基づく送信およびＣＲＳに基づく送信を使用する上の例は、本発明の可能な実施形態の１つにすぎないことに留意されたい。干渉情報のセットは、別の方法で構築することもできる。
【０１３４】
上の実施形態におけるリソースブロック割当て（ＲＢＡ）フィールドの構造においては、ＤＣＩの中で干渉情報が送信されるときリソースは必ずペアで割り当てられるものと想定する。したがって、このようなシナリオにおいては、割当てを示すために必要であるのは、リソースブロック割当て（ＲＢＡ）用にもともと利用可能な範囲の半分のみである。具体的には、表１によると、リソースブロックグループ（ＲＢＧ）は１個、２個、３個、または４個の物理リソースブロック（ＰＲＢ）を有するが、リソースは必ず物理リソースブロック（ＰＲＢ）の２倍（すなわち２個、４個、６個、または８個の物理リソースブロック（ＰＲＢ））を単位として割り当てる。このことは、１／２に低下した粒度に相当する。一般的には、リソース割当ての粒度を、表１の制約よりもさらに制約することができる。例えば、粒度を１／３に下げることができる。この場合、表１の右列の値は、３個、６個、９個、１２個の物理リソースブロック（ＰＲＢ）となる。
【０１３５】
したがって、図１６を参照しながら説明した実施形態は、第２のフィールドのさらに多くのサブフィールドの中に、さらに多くの干渉パラメータセットを提供することによって、さらに拡張することができる。これは、より大きい粒度の場合に可能となる。したがって、リソースブロック割当てフィールドは、リソース割当てのための第１のサブフィールドと、適用される干渉パラメータセットを示す２個以上のビットを有する第２のサブフィールドとを含む。
【０１３６】
なお、リソース割当ての粒度が低下することは、性能にマイナスに影響しないものと予測される。この想定の理由として、次の表２に示すように、ｅＮＢによって設定されるサブバンドのＣＱＩ報告の粒度が、非周期的な報告の場合には割当て粒度よりもすでに低い。
【０１３７】
【表２】
0006379214.tif 000003
【０１３８】
図１５および図１６を参照しながら説明した上記のコンセプトを適用すると、割当ての粒度が報告の粒度に基本的に一致する。図１５および図１６に示した、切替え指示情報をシグナリングするこの変形形態を適用するための前提条件は、干渉セルにおけるリソース割当てがタイプ０に基づき、かつ割当て粒度が低いことである。
【０１３９】
リソース割当てヘッダの解釈を変更することによってＤＣＩフォーマットの状態を切り替える方法に代えて、変形形態Ｃを、図１４を参照しながら上述した、ＲＶフィールドの解釈に基づいて状態を切り替える方法と組み合わせることもできる。さらには、変形形態Ｃを、図１３を参照しながら説明した、ＭＣＳを短縮する方法と組み合わせることもできる。
【０１４０】
干渉情報を提供するための提案するシグナリング方法では、上述した設計目標すべてに効果的に対処する。
−  ＤＣＩフォーマット２，２Ａ，２Ｂ，２Ｃ，２Ｄに共通するビットを再利用することにより、干渉情報の提供を、多岐にわたる送信方式と組み合わせて行うことができる。したがって、ＮＡＩＣＳのサポートを利用するユーザ機器に対して送信方式の大きな自由度が得られる。
−  誤り率の観点でのＤＣＩ送信の信頼性は、干渉情報を提供することによって影響されることはなく、なぜならＤＣＩフォーマットのサイズが拡張されないためである。
−  ＰＤＣＣＨの追加のブラインド復号は必要なく、なぜなら干渉情報がＰＤＳＣＨスケジューリング情報と一緒に同じＤＣＩフォーマットの中で提供されるためである。
−  ＤＣＩフォーマットの中のビットのうち、干渉の除去または抑制の恩恵を受けるユーザ機器を対象とするＰＤＳＣＨをスケジューリングする目的に使用される可能性がほとんどないビットを再利用することによって、干渉情報が提供される。
−  提案するシグナリング方法では、ＮＡＩＣＳのサポートが半静的に設定されることに加えて、干渉情報を提供する場合と、２つのトランスポートブロックをスケジューリングする場合とを高速に切り替えることができる。
【０１４１】
ＤＣＩフォーマットの中でユーザ機器に提供することのできる干渉パラメータは、上述したパラメータのサブセットとすることができる。例えば、干渉ｅＮＢにおけるＤＭＲＳまたはＣＲＳに基づく受信のためにＰＤＳＣＨ送信がスケジューリングされるのかを単純に示すことができる。ＣＲＳに基づく送信の場合、対応するＰＭＩ（プリコーディング行列インジケータ）およびＲＩ（ランクインジケータ）も干渉情報の中で示すことができ、なぜなら、ＰＤＳＣＨのプリコーディングは、ＰＭＩおよびＲＩによって与えられるコードブックエントリと、プリコーディングの基準としてのＣＲＳとによって与えられるためである。ＤＭＲＳに基づくＰＤＳＣＨ受信では、（例えばコードブックに基づく）プリコーダの指示情報は必要なく、なぜならユーザ機器は、ＤＭＲＳを測定することによってプリコーダを直接求めるためである。さらには、干渉するＰＲＢに対して使用される変調次数を示すことも適切であり得る。
【０１４２】
ＰＭＩやＲＩなど、干渉元の特定の送信パラメータを明示的に示すことに加えて、事前定義された干渉パラメータを組み合わせた特定のセットを示すことも可能である。この場合、正確な干渉パラメータは、限定されたリソース候補を対象とするブラインド検出によって求められる。利点として、ブラインド検出の複雑さが減少する。
【０１４３】
さらには、（例えばユーザ機器側でのＲＳＲＰ測定値に基づいて決定される）１基の隣接するｅＮＢのみから、または一連の隣接するｅＮＢから、干渉情報を提供することが可能である。
【０１４４】
ブラインド検出によって求めることができる干渉パラメータと、ダウンリンク制御シグナリングによる指示情報の形でネットワーク側から行う必要のあるサポートについては、依然として３ＧＰＰ  ＲＡＮ１およびＲＡＮ４において検討されている。現在の検討状況の詳細については、上に引用したＮＡＩＣＳ技術報告書およびＮＡＩＣＳ作業項目に記載されている。
【０１４５】
干渉被害を受けるユーザ機器に、同じＤＣＩの中で、干渉の物理リソースブロック（ＰＲＢ）割当てに関する追加の情報なしに、そのユーザ機器へのＰＤＳＣＨ割当てとともに干渉パラメータを示すための前提条件は、割り当てられる物理リソースブロック（ＰＲＢ）の数において、干渉割当て（interference allocation）が、干渉されるＰＤＳＣＨの物理リソースブロック（ＰＲＢ）割当てと一致することである。この条件は、例えばＮＡＩＣＳの範囲内で３ＧＰＰ  ＲＡＮ１において現在検討されているようにスケジューリングを制約することにより、隣接する複数のｅＮＢの間でリソース割当てを調整することによって達成することができる。干渉セルのリソース割当てにおけるより高い柔軟性は、図１５および図１６を参照しながら説明したコンセプトを利用することによって促進することができる。
【０１４６】
なお、本発明は、リリース１１のＬＴＥに限定されないことに留意されたい。本発明は、基地局によってサーブされる端末が別の送信機から干渉を受けうる任意の通信システムに適用することができる。しかしながら本発明は、３ＧＰＰ  ＬＴＥにただちに適用することができる。したがって以下では、本発明を標準規格の既存の一部に組み込むための詳細についてさらに説明する。標準規格の既存の設備の中に本発明を具体化する目的で、リリース１１に定義されている送信モード（Transmission Modes）を使用することができる。
【０１４７】
図１７は、２つのトランスポートブロックのスケジューリングをサポートするリリース１１の送信モードを考慮したとき、干渉情報を提供することと組み合わせてＰＤＳＣＨを割り当てる方法を記述した流れ図を示しており、この場合の送信モードは、非特許文献１２の７．１節に記載されているように、ＴＭ３、ＴＭ４、ＴＭ８、ＴＭ９、およびＴＭ１０である。ＬＴＥにおいては、ユーザ機器にはセルあたり１つの送信モードが設定される。送信モードそれぞれは２つの送信方式をサポートし、これらの送信方式は、ＰＤＳＣＨスケジューリング情報を受信側ユーザ機器に提供するために使用されるＤＣＩフォーマットのブラインド検出によって区別される。２つのトランスポートブロックをスケジューリングするために使用されるＤＣＩフォーマットは、ＤＣＩフォーマット２，２Ａ，２Ｂ，２Ｃ，２Ｄであり、これらはそれぞれＴＭ４、ＴＭ３、ＴＭ８、ＴＭ９、ＴＭ１０に対応する。送信モードは、ユーザ機器がＲＲＣ接続を確立するときに（ＬＴＥネットワークに最初に接続するとき、またはＲＲＣ接続を再確立するときに）ＲＲＣメッセージにおいてユーザ機器に示される。
【０１４８】
考慮されるすべての送信モードの２番目のサポートされるＤＣＩフォーマットは、ＤＣＩフォーマット１Ａであり、このフォーマット１Ａは、非特許文献１２の７．１節に記載されているように送信ダイバーシチ方式によるＰＤＳＣＨ送信をスケジューリングするために使用される。干渉情報の提供（ＮＡＩＣＳのサポート）は、ＤＣＩフォーマット２，２Ａ，２Ｂ，２Ｃ，２Ｄにおいてのみサポートされる。これらのＤＣＩフォーマットのうちの１つに干渉情報が含まれるかについて、上位層シグナリングに基づく半静的な設定によって、またはＤＣＩフォーマット自体の中の動的な指示情報によって、受信側ユーザ機器に示される。図１７は、ＤＣＩを生成／解析するための規則を示している。送信モードがＴＭ３、ＴＭ４、ＴＭ８、ＴＭ９、またはＴＭ１０（すなわち２つのトランスポートブロックを送信するためのＤＣＩフォーマットをサポートする送信モード）である場合、このようなＤＣＩフォーマットを含めるかを判定する。送信モードがＴＭ３、ＴＭ４、ＴＭ８、ＴＭ９、ＴＭ１０以外である場合、干渉情報を含めることは不可能である。さらに、ＤＣＩフォーマットがフォーマット２，２Ａ，２Ｂ，２Ｃ，または２Ｄ（すなわち２つのトランスポートブロックの送信に関連する第１および第２のフィールドを有するフォーマット）ではない場合、干渉パラメータを含めることは不可能である。しかしながら、ＤＣＩフォーマットがフォーマット２，２Ａ，２Ｂ，２Ｃ，２Ｄのうちのいずれかである場合、ＮＡＩＣＳのサポートが有効にされているかを判定する。有効にされていない場合、そのＤＣＩに干渉情報を含めることは不可能である。ＮＡＩＣＳがサポートされている場合、ＤＣＩの中に干渉情報を含めるための上述した可能な方法のうち事前定義される任意の方法を適用することができる。
【０１４９】
図１８は、干渉情報を提供するための新規の送信モード（すなわちＴＭ１１）を定義することを考慮した代替の流れ図を示している。この新規の送信モードは、リリース１１の送信モードＴＭ３、ＴＭ４、ＴＭ８、ＴＭ９、およびＴＭ１０と同様に、ここまでのさまざまな実施形態において説明したように、２つのトランスポートブロックをスケジューリングしかつ干渉情報を提供する、または、干渉情報を提供することと組み合わせて１つのトランスポートブロックをスケジューリングする目的に使用することができる。両方の状態の間での動的な切替えは、新規のＤＣＩフォーマット（すなわちＤＣＩフォーマット２Ｅ）の中の特定のビット（例えばＮＡＩＣＳフラグ）によって示すことができる。
【０１５０】
要約すると、すべてのユーザ機器には、物理ダウンリンク共有チャネル（ＰＤＳＣＨ）で受信したデータ送信の処理方法を決定することを支援する送信モードが設定される。本発明の一実施形態によると、送信モード（干渉送信モード）が定義され、端末は、この送信モードに従ってＤＣＩから干渉情報を抽出するように構成される。この抽出は、切替え指示情報によって条件付けすることができ、すなわちユーザ機器は、いったん干渉送信モードに入ると、ＤＣＩから干渉情報を抽出するように切替え指示情報が示しているか否かをチェックし、結果に応じて処理する。
【０１５１】
本発明の実施形態に対応する別のオプションとして、新規のＤＣＩフォーマット（すなわちＤＣＩフォーマット２Ｅ）の中に、干渉情報のための新規のビットフィールドを導入する。このようなＤＣＩフォーマットでは、干渉情報を提供することと組み合わせて２つのトランスポートブロックを割り当てることがつねに可能である。図２０Ａおよび図２０Ｂは、本発明の一実施形態による新規のＤＣＩフォーマットの例を示している。
【０１５２】
図２０Ａは、図３Ｅを参照しながら上述したフォーマット２Ｄに基づくＤＣＩフォーマット２Ｅを示している。フォーマット２Ｅは、フォーマット２Ｄと特に異なる点として、干渉情報フィールドを追加的に含む。したがって、この例示的なフォーマット２Ｅはフォーマット２Ｄよりも長い。フォーマット２Ｅは、干渉情報を送信する（伝える）ときにつねに使用することができる。したがって、フォーマット２Ｅが適用されていることは、干渉情報が送信されていることを必ず示す。干渉情報を提供せずに制御情報を送信する場合、２Ｄなど別のフォーマットを使用する。
【０１５３】
図２０Ｂは、別の可能な新規のＤＣＩフォーマット２Ｆを示しており、このフォーマットは、上述したフォーマット２Ｅに代えて、またはフォーマット２Ｅに加えて定義することができる。フォーマット２Ｆも、図３Ｅを参照しながら上述したフォーマット２Ｄに基づいている。しかしながらフォーマット２Ｆは、フォーマット２Ｄに加えて新規のＮＡＩＣＳフラグを含み、このフラグは、第２のフィールド（「トランスポートブロック２のＭＣＳ、ＮＤＩ、およびＲＶ、または干渉情報」）が干渉情報を伝えるのか、第２のトランスポートブロックのスケジューリング情報を伝えるのかを示す。したがってこのフラグは、ＤＣＩの受信機において、ネットワーク支援型の干渉の除去および抑制が適用可能であるかを示す。
【０１５４】
上に例示した新規のＤＣＩフォーマット２Ｅおよび２Ｆのいずれも、既存のフォーマット２Ｄに基づいていることに留意されたい。しかしながら、本発明はこれに限定されず、図３を参照しながら説明したフォーマット２，２Ａ，２Ｂ，２Ｃ，２Ｄのうちの任意のフォーマットを同様に適合させることができる。新規のＤＣＩの利点として、干渉状況にかかわらず、リソース割当てヘッダをその元の目的、すなわちタイプ０またはタイプ１のリソース割当てをシグナリングする目的に使用することができ、さらに、このＤＣＩの他のフィールド（冗長バージョンやＭＣＳなど）もそれらの通常の目的を果たすことができる。しかしながら、新規のＤＣＩフォーマットはわずかに長い（フォーマット２Ｅは、２つのトランスポートブロックのスケジューリング情報に加えて干渉情報を含み、フォーマット２Ｆは、ＮＡＩＣＳフラグのための少なくとも１個のさらなるビットを含む）。なお、これら新規のＤＣＩフォーマット、特にフォーマット２Ｅの中の干渉情報の長さは、スケジューリング情報の長さに一致させなくてもよいことに留意されたい。上述した干渉パラメータまたはそのサブセットをシグナリングするのに必要な任意の長さを適用することができる。
【０１５５】
受信側ユーザ機器に干渉情報を提供するために新規の送信モード（ＴＭ１１など）を定義する利点として、要求されるビット数と、サービングセルにおけるＰＤＳＣＨ割当て時にサポートされる自由度の観点において、干渉情報を提供する目的に最適化することのできる新規のＤＣＩフォーマットを定義することが可能である。新規のＤＣＩフォーマットでは、図１３〜図１６を参照しながら説明した方法とは異なり、例えば、タイプ０およびタイプ１両方のリソース割当てによって２つのトランスポートブロックを割り当てることに加えて干渉情報を示すことがつねに可能である。
【０１５６】
このような方法の欠点としては、ＤＣＩフォーマットのサイズが大きくなり、結果として堅牢性が低下し、必要な制御チャネルリソースが増す。別の問題点として、干渉情報を送信することのできるモードを個別の新規の送信モードに限定しない方法（複数の送信モードがサポートされる）とは異なり、ＰＤＳＣＨをスケジューリングする対象のユーザ機器に干渉情報を提供することに関連するＮＡＩＣＳのサポートが、１つの送信モード（ＴＭ１１など）においてのみ可能である。
【０１５７】
一般的には、１つのＤＣＩフォーマットの中でＰＤＳＣＨスケジューリング情報と一緒に干渉情報を提供する機会を、単一の新規の送信モードおよび対応するＤＣＩフォーマットに限定する必要はない。サービングｅＮＢがスケジューリングするときの高い柔軟性を確保する目的で、ＮＡＩＣＳがサポートされる複数の送信モードおよび対応するＤＣＩフォーマットを定義することができる。
【０１５８】
図１９は、上述した機能性を具体化するための制御情報受信機１９０２および制御情報送信機１９０１を図解したブロック図である。具体的には、セルラー通信システムにおいてサービング基地局から制御データを受信する装置１９０２は、サービング基地局１９０１によって送信されるダウンリンク制御情報（ＤＣＩ）を識別および復号するブラインド復号ユニット１９１０と、復号されたダウンリンク制御情報の第１のフィールドからスケジューリング制御情報を抽出し、ダウンリンク制御情報の第２のフィールドから干渉情報を抽出する抽出ユニット１９２０と、サービング基地局以外の送信機に起因する干渉を（干渉除去ユニット１９３５において）低減するため、干渉情報を考慮しながら、スケジューリング情報によって指定されるリソース上でデータを受信または送信する送受信機１９３０と、を備えている。さらに、制御ユニット１９４０は、第２のフィールドから、干渉情報、または第２のトランスポートブロックのスケジューリング情報を抽出するように、抽出ユニットを制御する役割を果たすことができる。装置１９０２は、移動端末などの端末、または無線を通じてサービング基地局１９０１を介してネットワークに接続されている任意の他のデバイスとすることができる。
【０１５９】
セルラー通信システムにおいて受信装置１９０２に制御データを送信する装置１９０１は、受信装置１９０２のサービング基地局（ｅＮＢ  Ａ）とすることができ、この装置１９０１は、サービング基地局（ｅＮＢ  Ａ）以外の送信機に起因する受信装置１９０２が受ける干渉、を判定する干渉情報判定ユニット１９７０と、スケジューリング制御情報を含む第１のフィールドと干渉情報を含む第２のフィールドとを含むダウンリンク制御情報、を生成する制御情報生成ユニット１９６０と、生成されたダウンリンク制御情報を、ブラインド復号できるように受信装置に送信し、スケジューリング情報によって指定されるリソース上で、データを受信装置送信する、または受信装置からデータを受信する、送受信機（１９５０）と、を備えている。さらに、この装置は、干渉情報を生成してダウンリンク制御情報に含めるか否かに関する決定を実行することのできる制御ユニット１９８０、を含むことができる。この決定は、基地局１９０１によって受信される端末１９０２からの測定値、もしくは、干渉が別の基地局に起因する場合にはその干渉基地局の負荷、またはその両方、に基づくことができる。負荷情報は、サービング基地局と干渉基地局との間のバックホールリンクによって、サービング基地局に伝えることができる。
【０１６０】
背景技術のセクションにおける説明は、本明細書に記載した特定の例示的な実施形態を深く理解することを目的としており、移動通信ネットワーク（３ＧＰＰ標準規格に準拠したネットワークなど）におけるプロセスおよび機能の、説明した特定の実施形態に本発明を制限するものではないことを理解されたい。しかしながら、本明細書に提案した改良は、背景技術のセクションに記載したアーキテクチャ／システムにおいてただちに適用することができ、本発明のいくつかの実施形態においては、これらのアーキテクチャ／システムの標準的な手順および改良された手順を利用することができる。特定の実施形態において示した本発明には、広義に記載されている本発明の概念または範囲から逸脱することなく、さまざまな変更もしくは修正またはその両方を行うことができることが、当業者には理解されるであろう。
【０１６１】
本発明の別の実施形態は、上述したさまざまな実施形態を、ハードウェアおよびソフトウェアを使用して実装することに関する。本発明のさまざまな実施形態は、コンピューティングデバイス（プロセッサ）を使用して実施または実行できることを理解されたい。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他プログラマブルロジックデバイスなどとすることができる。本発明のさまざまな実施形態は、これらのデバイスの組合せによって実行または具体化することもできる。
【０１６２】
さらに、本発明のさまざまな実施形態は、プロセッサによって実行されるソフトウェアモジュールによって実施する、あるいはハードウェアに直接実装することができる。また、ソフトウェアモジュールとハードウェア実装の組合せも可能である。ソフトウェアモジュールは、例えばＲＡＭ、ＥＰＲＯＭ、ＥＥＰＲＯＭ、フラッシュメモリ、レジスタ、ハードディスク、ＣＤ−ＲＯＭ、ＤＶＤなど、任意の種類のコンピュータ可読記憶媒体に格納することができる。
【０１６３】
本発明は、通信システムにおいてダウンリンク制御情報を送信および受信することに関する。具体的には、サービング基地局が、スケジューリング情報を含む第１のフィールドと干渉パラメータ（干渉情報）を含む第２のフィールドとを含むダウンリンク制御情報を、端末に送信する。受信機は、干渉の除去および抑制において使用される干渉の推定にその干渉パラメータを使用する。
【図１】
0006379214.tif 000004
【図２】
0006379214.tif 000005
【図３Ａ】
0006379214.tif 000006
【図３Ｂ】
0006379214.tif 000007
【図３Ｃ】
0006379214.tif 000008
【図３Ｄ】
0006379214.tif 000009
【図３Ｅ】
0006379214.tif 000010
【図４】
0006379214.tif 000011
【図５】
0006379214.tif 000012
【図６】
0006379214.tif 000013
【図７】
0006379214.tif 000014
【図８】
0006379214.tif 000015
【図９】
0006379214.tif 000016
【図１０】
0006379214.tif 000017
【図１１】
0006379214.tif 000018
【図１２】
0006379214.tif 000019
【図１３】
0006379214.tif 000020
【図１４】
0006379214.tif 000021
【図１５】
0006379214.tif 000022
【図１６】
0006379214.tif 000023
【図１７】
0006379214.tif 000024
【図１８】
0006379214.tif 000025
【図１９】
0006379214.tif 000026
【図２０】
0006379214.tif 000027